(57)【要約】  アップリンクデータオペレーションのための方法及び装置を開示し、ｎｕｍｅｒｏｌｏｇｙが導入されたシナリオ端末がアップリンクデータを送信することを可能にする。本発明の実施例に係る端末は、ｎｕｍｅｒｏｌｏｇｙとアップリンクグラントとの間の第１の対応関係に従ってアップリンクグラントを決定し、ｎｕｍｅｒｏｌｏｇｙとベアラとの間の第２の対応関係に従ってベアラを決定し、また、アップリンクグラントとベアラに従って、アップリンクデータオペレーションを実行する。本発明の実施例に係る端末は、ｎｕｍｅｒｏｌｏｇｙとアップリンクグラントとの間の第１の対応関係、及びｎｕｍｅｒｏｌｏｇｙとベアラとの間の第２の対応関係に従って、アップリンクデータオペレーションを実行することができるため、ｎｕｍｅｒｏｌｏｇｙのシナリオで、端末に、アップリンクデータオペレーションを実行させて、システムの性能をさらに向上させることができる。
2019534610.tif 000002
【特許請求の範囲】
【請求項１】
端末は、ｎｕｍｅｒｏｌｏｇｙとアップリンクグラントとの間の第１の対応関係に従い、ネットワーク側が端末に対して構成したｎｕｍｅｒｏｌｏｇｙに対応するアップリンクグラントを決定するステップと、
前記端末は、ｎｕｍｅｒｏｌｏｇｙとベアラとの間の第２の対応関係に従って、ネットワーク側が端末に対して構成したｎｕｍｅｒｏｌｏｇｙに対応するベアラを決定するステップと、
前記端末は、決定されたｎｕｍｅｒｏｌｏｇｙに対応するアップリンクグラント及びｎｕｍｅｒｏｌｏｇｙに対応するベアラに従って、アップリンクデータオペレーションを実行するステップとを備えることを特徴とするアップリンクデータオペレーションのための方法。
【請求項２】
前記ベアラは無線ベアラまたは論理チャネルであることを特徴とする請求項１に記載のアップリンクデータオペレーションのための方法。
【請求項３】
前記端末は、ネットワーク側装置の構成に従い、前記第１の対応関係及び/または第２の対応関係を決定することを特徴とする請求項１に記載のアップリンクデータオペレーションのための方法。
【請求項４】
前記端末は、以下の一部または全部の方式でネットワーク側装置によって構成される、前記第１の対応関係を決定するように構成され、
前記端末は、ネットワーク側装置によって構成される、アップリンクグラントで運ばれるｎｕｍｅｒｏｌｏｇｙ識別子に従い、前記第１の対応関係を決定し、
前記端末は、ネットワーク側装置によって構成される、アップリンクグラントに対応する物理リソースまたはアップリンクグラントに対応するアップリンクデータ伝送リソースに対応する物理リソース、ｎｕｍｅｒｏｌｏｇｙとアップリンクグラントまたはアップリンクデータ伝送の物理リソースとの間の第３の対応関係に従い、前記第１の対応関係を決定し、
前記端末は、ネットワーク側装置によって構成される、アップリンクグラントに対応するネットワークスライス識別子またはアップリンクグラントに対応するアップリンクデータ伝送リソースに対応するネットワークスライス識別子、及びｎｕｍｅｒｏｌｏｇｙとネットワークスライス識別子との間の第４の対応関係に従い、前記第１の対応関係を決定し、
前記端末は、アップリンクグラントで運ばれるネットワークスライス識別子、及びｎｕｍｅｒｏｌｏｇｙとネットワークスライス識別子との間の第４の対応関係に従い、前記第１の対応関係を決定することを特徴とする請求項３に記載のアップリンクデータオペレーションのための方法。
【請求項５】
前記端末は、以下の一部または全部の方式でネットワーク側装置によって構成された第２の対応関係を決定するように構成され、
前記端末は、ベアラが確立される場合、ネットワーク側装置によって構成される、ベアラとｎｕｍｅｒｏｌｏｇｙとの間の第２の対応関係を決定し、
前記端末は、ネットワーク側装置がアップリンクグラントにより構成した、ベアラとｎｕｍｅｒｏｌｏｇｙとの間の第２の対応関係を決定し、
前記端末は、ネットワーク側装置によって構成される、アップリンクグラントで運ばれるＱｏＳパラメータとｎｕｍｅｒｏｌｏｇｙとの間の第５の対応関係と、端末のベアラの確立のときに構成されたベアラとＱｏＳパラメータとの間の第６の対応関係とに従い、前記第２の対応関係を決定し、
前記端末は、ブロードキャストまたは専用シグナリングを介してネットワーク側装置によって通知されたＱｏＳパラメータとｎｕｍｅｒｏｌｏｇｙとの間の第５の対応関係と、端末のベアラの確立のときに構成されたベアラとＱｏＳパラメータとの間の第６の対応関係とに従い、前記第２の対応関係を決定し、
前記端末は、ベアラの確立ときに運ばれるネットワークスライス識別子及びｎｕｍｅｒｏｌｏｇｙとネットワークスライス識別子との間の第４の対応関係に従い、前記第２の対応関係を決定し、
前記端末は、ブロードキャストまたは専用シグナリングを介してネットワーク側装置によって通知されたＱｏＳパラメータとネットワークスライス識別子との間の第７の対応関係と、端末のベアラの確立のときに構成されたベアラのＱｏＳパラメータと、ブロードキャストまたは専用シグナリングを介してネットワーク側装置によって構成されたｎｕｍｅｒｏｌｏｇｙとネットワークスライス識別子との間の第４の対応関係とに従い、前記第２の対応関係を決定することを特徴とする請求項３に記載のアップリンクデータオペレーションのための方法。
【請求項６】
前記端末が決定されたｎｕｍｅｒｏｌｏｇｙに対応するアップリンクグラント及びｎｕｍｅｒｏｌｏｇｙに対応するベアラに従って、アップリンクデータオペレーションを実行する場合、
前記端末は、決定されたｎｕｍｅｒｏｌｏｇｙに対応するアップリンクグラント及びｎｕｍｅｒｏｌｏｇｙに対応するベアラに従い、リソースを割り当て、アップリンクデータパケットを構成することを特徴とする請求項１に記載のアップリンクデータオペレーションのための方法。
【請求項７】
前記端末が、決定されたｎｕｍｅｒｏｌｏｇｙに対応するアップリンクグラント及びｎｕｍｅｒｏｌｏｇｙに対応するベアラに従い、リソースを割り当てる場合、
前記端末は、前記ｎｕｍｅｒｏｌｏｇｙに対応するベアラの優先順位に従って割り当て順序を決定し、
前記端末は、割り当て順序に従い、各ベアラのＰＢＲに基づき、アップリンクグラントに対応する未割り当てリソースから各ベアラにリソースを割り当て、
前記端末は、各ベアラにリソースを割り当てた後に、割り当て条件が満たされるかどうかを判断し、
割り当て条件が満たされない場合、割り当て順序に従い、各ベアラのＰＢＲに基づき、割り当て条件が満たされるまで、アップリンクグラントに対応する未割り当てリソースから各ベアラにリソースを割り当て、
前記割り当て条件は、リソースがすべてのベアラのデータに割り当てられること、またはリソースが使い果たされることであることを特徴とする請求項６に記載のアップリンクデータオペレーションのための方法。
【請求項８】
前記端末が決定されたｎｕｍｅｒｏｌｏｇｙに対応するアップリンクグラント及びｎｕｍｅｒｏｌｏｇｙに対応するベアラに従って、アップリンクデータオペレーションを実行する前に、
前記端末は、プロトコルの規定に従うか、または、ブロードキャストまたは専用シグナリングによるネットワーク側装置の構成に従って、ｎｕｍｅｒｏｌｏｇｙと物理層パラメータとの間の第８の対応関係を決定し、
前記端末が決定されたｎｕｍｅｒｏｌｏｇｙに対応するアップリンクグラント及びｎｕｍｅｒｏｌｏｇｙに対応するベアラに従って、アップリンクデータオペレーションを実行する場合、
前記端末は、前記第８の対応関係に従って、物理層パラメータを決定し、
前記端末は、決定された物理層パラメータ、ｎｕｍｅｒｏｌｏｇｙに対応するアップリンクグラント及びｎｕｍｅｒｏｌｏｇｙに対応するベアラに従って、アップリンクデータオペレーションを実行することを特徴とする請求項１ないし請求項７のいずれか１項に記載のアップリンクデータオペレーションのための方法。
【請求項９】
ネットワーク側装置は、第１の構成情報及び第２の構成情報を決定するステップと、
前記ネットワーク側装置は、前記第２の対応関係に従ってベアラを決定し、アップリンクグラントに従ってアップリンクデータオペレーションを実行するように、端末に前記構成情報を送信し、前記端末が前記第１の対応関係に従ってアップリンクグラントを決定するステップと
を備え、
前記第１の構成情報は、ｎｕｍｅｒｏｌｏｇｙとアップリンクグラントとの間の第１の対応関係を決定するために使用され、前記第２の構成情報は、ｎｕｍｅｒｏｌｏｇｙとベアラとの間の第２の対応関係を決定するために使用されることを特徴とするリソースを割り当てるための方法。
【請求項１０】
前記第１の構成情報は、
ｎｕｍｅｒｏｌｏｇｙ識別子と、
アップリンクグラントに対応する物理リソースと、
アップリンクグラントに対応するアップリンクデータ伝送リソースに対応する物理リソースと、
アップリンクグラントに対応するネットワークスライス識別子と、
アップリンクグラントに対応するアップリンクデータ伝送リソースに対応するネットワークスライス識別子とのうちの情報の一部または全部を含むことを特徴とする請求項９に記載のリソースを割り当てるための方法。
【請求項１１】
前記第２の構成情報は、
前記第２の対応関係と、
ｎｕｍｅｒｏｌｏｇｙとネットワークスライス識別子との間の第４の対応関係と、
ＱｏＳパラメータとｎｕｍｅｒｏｌｏｇｙとの間の第５の対応関係と、
ベアラとＱｏＳパラメータとの間の第６の対応関係と、
ＱｏＳパラメータとネットワークスライス識別子との間の第７の対応関係と、
ネットワークスライス識別子とのうちの情報の一部または全部を含むことを特徴とする請求項９に記載のリソースを割り当てるための方法。
【請求項１２】
前記ネットワーク側装置は、前記端末が前記ｎｕｍｅｒｏｌｏｇｙのパラメータに従って割り当てられたリソースによりデータを伝送するように、ブロードキャストまたは専用シグナリングにより前記端末に対してｎｕｍｅｒｏｌｏｇｙのパラメータを構成することを特徴とする請求項９ないし請求項１１のいずれか１項に記載のリソースを割り当てるための方法。
【請求項１３】
ｎｕｍｅｒｏｌｏｇｙとアップリンクグラントとの間の第１の対応関係に従って、ネットワーク側が端末に対して構成したｎｕｍｅｒｏｌｏｇｙに対応するアップリンクグラントを決定するように構成される、シグナリング決定モジュールと、
ｎｕｍｅｒｏｌｏｇｙとベアラとの間の第２の対応関係に従って、ネットワーク側が端末に対して構成したｎｕｍｅｒｏｌｏｇｙに対応するベアラを決定するように構成される、情報決定モジュールと
決定されたｎｕｍｅｒｏｌｏｇｙに対応するアップリンクグラント及びｎｕｍｅｒｏｌｏｇｙに対応するベアラに従って、アップリンクデータオペレーションを実行するように構成される、処理モジュールとを備えることを特徴とするアップリンクデータオペレーションのための端末。
【請求項１４】
前記ベアラは無線ベアラまたは論理チャネルであることを特徴とする請求項１３に記載のアップリンクデータオペレーションのための端末。
【請求項１５】
前記処理モジュールは、
ネットワーク側装置の構成に従い、前記第１の対応関係及び/または第２の対応関係を決定することを特徴とする請求項１３に記載のアップリンクデータオペレーションのための端末。
【請求項１６】
前記処理モジュールは、以下の一部または全部の方式でネットワーク側装置によって構成される、前記第１の対応関係を決定するように構成され、
ネットワーク側装置によって構成される、アップリンクグラントで運ばれるｎｕｍｅｒｏｌｏｇｙ識別子に従い、前記第１の対応関係を決定し、
ネットワーク側装置によって構成される、アップリンクグラントに対応する物理リソースまたはアップリンクグラントに対応するアップリンクデータ伝送リソースに対応する物理リソース、ｎｕｍｅｒｏｌｏｇｙとアップリンクグラントまたはアップリンクデータ伝送の物理リソースとの間の第３の対応関係に従い、前記第１の対応関係を決定し、
ネットワーク側装置によって構成される、アップリンクグラントに対応するネットワークスライス識別子またはアップリンクグラントに対応するアップリンクデータ伝送リソースに対応するネットワークスライス識別子、及びｎｕｍｅｒｏｌｏｇｙとネットワークスライス識別子との間の第４の対応関係に従い、前記第１の対応関係を決定し、
ネットワーク側装置によって構成される、アップリンクグラントで運ばれるネットワークスライス識別子、及びｎｕｍｅｒｏｌｏｇｙとネットワークスライス識別子との間の第４の対応関係に従い、前記第１の対応関係を決定することを特徴とする請求項１５に記載のアップリンクデータオペレーションのための端末。
【請求項１７】
前記処理モジュールは、以下の一部または全部の方式でネットワーク側装置によって構成された第２の対応関係を決定するように構成され、
ベアラが確立される場合、ネットワーク側装置によって構成される、ベアラとｎｕｍｅｒｏｌｏｇｙとの間の第２の対応関係を決定し、
ネットワーク側装置がアップリンクグラントにより構成した、ベアラとｎｕｍｅｒｏｌｏｇｙとの間の第２の対応関係を決定し、
ネットワーク側装置によって構成される、アップリンクグラントで運ばれるＱｏＳパラメータとｎｕｍｅｒｏｌｏｇｙとの間の第５の対応関係と、端末のベアラの確立のときに構成されたベアラとＱｏＳパラメータとの間の第６の対応関係とに従い、前記第２の対応関係を決定し、
ブロードキャストまたは専用シグナリングを介してネットワーク側装置によって通知されたＱｏＳパラメータとｎｕｍｅｒｏｌｏｇｙとの間の第５の対応関係と、端末のベアラの確立のときに構成されたベアラとＱｏＳパラメータとの間の第６の対応関係とに従い、前記第２の対応関係を決定し、
ベアラの確立ときに運ばれるネットワークスライス識別子及びｎｕｍｅｒｏｌｏｇｙとネットワークスライス識別子との間の第４の対応関係に従い、前記第２の対応関係を決定し、
ブロードキャストまたは専用シグナリングを介してネットワーク側装置によって通知されたＱｏＳパラメータとネットワークスライス識別子との間の第７の対応関係と、端末のベアラの確立のときに構成されたベアラのＱｏＳパラメータと、ブロードキャストまたは専用シグナリングを介してネットワーク側装置によって構成されたｎｕｍｅｒｏｌｏｇｙとネットワークスライス識別子との間の第４の対応関係とに従い、前記第２の対応関係を決定することを特徴とする請求項１５に記載のアップリンクデータオペレーションのための端末。
【請求項１８】
前記処理モジュールは、
決定されたｎｕｍｅｒｏｌｏｇｙに対応するアップリンクグラント及びｎｕｍｅｒｏｌｏｇｙに対応するベアラに従い、リソースを割り当て、アップリンクデータパケットを構成することを特徴とする請求項１３に記載のアップリンクデータオペレーションのための端末。
【請求項１９】
前記処理モジュールは、
前記ｎｕｍｅｒｏｌｏｇｙに対応するベアラの優先順位に従って割り当て順序を決定し、
割り当て順序に従い、各ベアラのＰＢＲに基づき、アップリンクグラントに対応する未割り当てリソースから各ベアラにリソースを割り当て、
各ベアラにリソースを割り当てた後に、割り当て条件が満たされるかどうかを判断し、
割り当て条件が満たされない場合、割り当て順序に従い、各ベアラのＰＢＲに基づき、割り当て条件が満たされるまで、アップリンクグラントに対応する未割り当てリソースから各ベアラにリソースを割り当て、
前記割り当て条件は、リソースがすべてのベアラのデータに割り当てられること、またはリソースが使い果たされることであることを特徴とする請求項１８に記載のアップリンクデータオペレーションのための端末。
【請求項２０】
前記処理モジュールは、
プロトコルの規定に従うか、または、ブロードキャストまたは専用シグナリングによるネットワーク側装置の構成に従って、ｎｕｍｅｒｏｌｏｇｙと物理層パラメータとの間の第８の対応関係を決定し、
前記第８の対応関係に従って、物理層パラメータを決定し、
決定された物理層パラメータ、ｎｕｍｅｒｏｌｏｇｙに対応するアップリンクグラント及びｎｕｍｅｒｏｌｏｇｙに対応するベアラに従って、アップリンクデータオペレーションを実行し、前記第１の構成情報は、ｎｕｍｅｒｏｌｏｇｙとアップリンクグラントとの間の第１の対応関係を決定するために使用され、前記第２の構成情報は、ｎｕｍｅｒｏｌｏｇｙとベアラとの間の第２の対応関係を決定するために使用されることを特徴とする請求項１３ないし請求項１９のいずれか１項に記載のアップリンクデータオペレーションのための端末。
【請求項２１】
第１の構成情報及び第２の構成情報を決定するように構成される構成決定モジュールと、
前記端末が前記第１の対応関係に従ってアップリンクグラントを決定し、前記第２の対応関係に従ってベアラを決定し、アップリンクグラントに従ってアップリンクデータオペレーションを実行するように、端末に前記構成情報を送信するように構成される伝送モジュールと
を備え、
前記第１の構成情報は、ｎｕｍｅｒｏｌｏｇｙとアップリンクグラントとの間の第１の対応関係を決定するために使用され、前記第２の構成情報は、ｎｕｍｅｒｏｌｏｇｙとベアラとの間の第２の対応関係を決定するために使用されることを特徴とするリソースの割り当てのためのネットワーク側装置。
【請求項２２】
前記第１の構成情報は、
ｎｕｍｅｒｏｌｏｇｙ識別子と、
アップリンクグラントに対応する物理リソースと、
アップリンクグラントに対応するアップリンクデータ伝送リソースに対応する物理リソースと、
アップリンクグラントに対応するネットワークスライス識別子と、
アップリンクグラントに対応するアップリンクデータ伝送リソースに対応するネットワークスライス識別子とのうちの一部または全部を含むことを特徴とする請求項２１に記載のリソースの割り当てのためのネットワーク側装置。
【請求項２３】
前記第２の構成情報は、
前記第２の対応関係と、
ｎｕｍｅｒｏｌｏｇｙとネットワークスライス識別子との間の第４の対応関係と、
ＱｏＳパラメータとｎｕｍｅｒｏｌｏｇｙとの間の第５の対応関係と、
ベアラとＱｏＳパラメータとの間の第６の対応関係と、
ＱｏＳパラメータとネットワークスライス識別子との間の第７の対応関係と、
ネットワークスライス識別子とのうちの一部または全部を含むことを特徴とする請求項２１に記載のリソースの割り当てのためのネットワーク側装置。
【請求項２４】
前記伝送モジュールは、
前記端末が前記ｎｕｍｅｒｏｌｏｇｙのパラメータに従って割り当てられたリソースによりデータを伝送するように、ブロードキャストまたは専用シグナリングにより前記端末に対してｎｕｍｅｒｏｌｏｇｙのパラメータを構成することを特徴とする請求項２１ないし請求項２３のいずれか１項に記載のリソースの割り当てのためのネットワーク側装置。
【請求項２５】
プロセッサと、メモリと、プロセッサの制御下でデータを送受信するように構成される送受信機とを備え、
前記プロセッサは、メモリに格納されたプログラムを読み出し、
ｎｕｍｅｒｏｌｏｇｙとアップリンクグラントとの間の第１の対応関係に従って、ネットワーク側が端末に対して構成したｎｕｍｅｒｏｌｏｇｙに対応するアップリンクグラントを決定し、ｎｕｍｅｒｏｌｏｇｙとベアラとの間の第２の対応関係に従って、ネットワーク側が端末に対して構成したｎｕｍｅｒｏｌｏｇｙに対応するベアラを決定し、決定されたｎｕｍｅｒｏｌｏｇｙに対応するアップリンクグラント及びｎｕｍｅｒｏｌｏｇｙに対応するベアラに従って、アップリンクデータオペレーションを実行することを特徴とする端末。
【請求項２６】
プロセッサと、メモリと、プロセッサの制御下でデータを送受信するように構成される送受信機とを備え、
前記プロセッサは、メモリに格納されたプログラムを読み出して、
第１の構成情報及び第２の構成情報を決定し、前記第１の構成情報は、ｎｕｍｅｒｏｌｏｇｙとアップリンクグラントとの間の第１の対応関係を決定するために使用され、前記第２の構成情報は、ｎｕｍｅｒｏｌｏｇｙとベアラとの間の第２の対応関係を決定するために使用され、
前記端末が前記第１の対応関係に従ってアップリンクグラントを決定し、前記第２の対応関係に従ってベアラを決定し、アップリンクグラントに従ってアップリンクデータオペレーションを実行するように、送受信機により端末に前記構成情報を送信することを特徴とするネットワーク側装置。
【発明の詳細な説明】
【技術分野】
【０００１】
〔関連出願の相互参照〕
本出願は、２０１６年９月２３日に中国特許局に提出し、出願番号が２０１６１０８４９５７２.６であり、発明名称が「アップリンクデータオペレーションのための方法及び装置」との中国特許出願を基礎とする優先権を主張し、その開示の総てをここに取り込む。
【０００２】
本発明は無線通信技術分野に関し、特にアップリンクデータオペレーションのための方法及び装置に関する。
【背景技術】
【０００３】
Ｎｕｍｅｒｏｌｏｇｙ（数秘術）は、無線アクセスネットワーク（Ｒａｄｉｏ  Ａｃｃｅｓｓ  Ｎｅｔｗｏｒｋ，ＲＡＮ）１におけるいくつかの内容、例えばサブキャリア間隔、サイクリックプレフィックス（Ｃｙｃｌｉｃ Ｐｒｅｆｉｘ，ＣＰ）長などに関する特別な用語である。
【０００４】
新世代の無線ネットワークシステム（５Ｇシステム）に導入された新しいネットワークアーキテクチャでは、ネットワーク側ノードは、中央ユニット（Ｃｅｎｔｒａｌ ｕｎｉｔ，ＣＵ）と、分散ユニットである送受信ポイント（Ｔｒａｎｓｍｉｓｓｉｏｎ Ｒｅｃｅｐｔｉｏｎ Ｐｏｉｎｔ，ＴＲＰ）とを含む。ユーザ側ノードは端末である。ネットワーク側では、中央ユニット（ＣＵ）が、あるエリアに配置された複数の分散ＴＲＰを制御し、ＴＲＰを介してエアインターフェースにより端末と通信する。すなわち、ネットワーク側ノードはＣＵとＴＲＰを含む二層ネットワーク構造でる。１つまたは複数のＴＲＰは、データ伝送できるように、端末に同時にサービスを提供することができる。１つのＴＲＰの下で複数のビーム方向での送信があり得る。
【０００５】
将来の移動通信システムのために、３ＧＰＰ（３ｒｄ Ｇｅｎｅｒａｔｉｏｎ Ｐａｒｔｎｅｒｓｈｉｐ Ｐｒｏｊｅｃｔ，第３世代パートナーシッププロジェクト） ＲＡＮ１に複数のｎｕｍｅｒｏｌｏｇｙ設計が導入され、異なるｎｕｍｅｒｏｌｏｇｙは定義されたように時分割または周波数分割モードで適用されることができる。複数のｎｕｍｅｒｏｌｏｇｙが導入される場合には、可能な媒体アクセス制御（Ｍｅｄｉｕｍ Ａｃｃｅｓｓ Ｃｏｎｔｒｏｌ，ＭＡＣ）方式において、ネットワーク側が、それぞれのｎｕｍｅｒｏｌｏｇｙについてそれぞれスケジュールするように、設計する。
【０００６】
３ＧＰＰ ＲＡＮ１には異なるｎｕｍｅｒｏｌｏｇｙ設計が導入されており、異なるサービスに対する異なるサービス品質（Ｑｕａｌｉｔｙ ｏｆ Ｓｅｒｖｉｃｅ，ＱｏＳ）要求があるため、異なるサービスには異なる送信のｎｕｍｅｒｏｌｏｇｙが適用されているが、この場合、アップリンクデータ送信のためのリソースを決定するための実行可能な解決策は、これまで案出していなかった。
【発明の概要】
【発明が解決しようとする課題】
【０００７】
本発明は、アップリンクデータオペレーションのための方法及び装置を提供し、多数のｎｕｍｅｒｏｌｏｇｙが導入されるシナリオにおいて、端末がアップリンクデータを送信することを可能にする。
【課題を解決するための手段】
【０００８】
本発明の実施例に係るアップリンクデータオペレーションのための方法は、端末は、ｎｕｍｅｒｏｌｏｇｙとアップリンクグラントとの間の第１の対応関係に従って、ネットワーク側が端末に対して構成したｎｕｍｅｒｏｌｏｇｙに対応するアップリンクグラントを決定するステップと、
前記端末は、ｎｕｍｅｒｏｌｏｇｙとベアラとの間の第２の対応関係に従って、ネットワーク側が端末に対して構成したｎｕｍｅｒｏｌｏｇｙに対応するベアラを決定するステップと、
前記端末は、決定されたｎｕｍｅｒｏｌｏｇｙに対応するアップリンクグラント及びｎｕｍｅｒｏｌｏｇｙに対応するベアラに従って、アップリンクデータオペレーションを実行するステップとを備える。
【０００９】
オプションとして、前記ベアラは無線ベアラまたは論理チャネルである。
【００１０】
オプションとして、当該方法では、前記端末は、ネットワーク側装置の構成に従い、前記第１の対応関係及び/または第２の対応関係を決定する。
【００１１】
オプションとして、前記端末は、以下の一部または全部の方式でネットワーク側装置によって構成される、前記第１の対応関係を決定するように構成され、
前記端末は、ネットワーク側装置によって構成される、アップリンクグラントで運ばれるｎｕｍｅｒｏｌｏｇｙ識別子に従い、前記第１の対応関係を決定し、
前記端末は、ネットワーク側装置によって構成される、アップリンクグラントに対応する物理リソースまたはアップリンクグラントに対応するアップリンクデータ伝送リソースに対応する物理リソース、ｎｕｍｅｒｏｌｏｇｙとアップリンクグラントまたはアップリンクデータ伝送の物理リソースとの間の第３の対応関係に従い、前記第１の対応関係を決定し、
前記端末は、ネットワーク側装置によって構成される、アップリンクグラントに対応するネットワークスライス識別子またはアップリンクグラントに対応するアップリンクデータ伝送リソースに対応するネットワークスライス識別子、及びｎｕｍｅｒｏｌｏｇｙとネットワークスライス識別子との間の第４の対応関係に従い、前記第１の対応関係を決定し、
前記端末は、アップリンクグラントで運ばれるネットワークスライス識別子、及びｎｕｍｅｒｏｌｏｇｙとネットワークスライス識別子との間の第４の対応関係に従い、前記第１の対応関係を決定する。
【００１２】
オプションとして、前記端末は、以下の一部または全部の方式でネットワーク側装置によって構成された第２の対応関係を決定するように構成され、
前記端末は、ベアラが確立される場合、ネットワーク側装置によって構成される、ベアラとｎｕｍｅｒｏｌｏｇｙとの間の第２の対応関係を決定し、
前記端末は、ネットワーク側装置がアップリンクグラントにより構成した、ベアラとｎｕｍｅｒｏｌｏｇｙとの間の第２の対応関係を決定し、
前記端末は、ネットワーク側装置によって構成される、アップリンクグラントで運ばれるＱｏＳパラメータとｎｕｍｅｒｏｌｏｇｙとの間の第５の対応関係と、端末のベアラの確立のときに構成されたベアラとＱｏＳパラメータとの間の第６の対応関係とに従い、前記第２の対応関係を決定し、
前記端末は、ブロードキャストまたは専用シグナリングを介してネットワーク側装置によって通知されたＱｏＳパラメータとｎｕｍｅｒｏｌｏｇｙとの間の第５の対応関係と、端末のベアラの確立のときに構成されたベアラとＱｏＳパラメータとの間の第６の対応関係とに従い、前記第２の対応関係を決定し、
前記端末は、ベアラの確立ときに運ばれるネットワークスライス識別子及びｎｕｍｅｒｏｌｏｇｙとネットワークスライス識別子との間の第４の対応関係に従い、前記第２の対応関係を決定し、
前記端末は、ブロードキャストまたは専用シグナリングを介してネットワーク側装置によって通知されたＱｏＳパラメータとネットワークスライス識別子との間の第７の対応関係と、端末のベアラの確立のときに構成されたベアラのＱｏＳパラメータと、ブロードキャストまたは専用シグナリングを介してネットワーク側装置によって構成されたｎｕｍｅｒｏｌｏｇｙとネットワークスライス識別子との間の第４の対応関係とに従い、前記第２の対応関係を決定する。
【００１３】
オプションとして、前記端末が決定されたｎｕｍｅｒｏｌｏｇｙに対応するアップリンクグラント及びｎｕｍｅｒｏｌｏｇｙに対応するベアラに従って、アップリンクデータオペレーションを実行する場合、
前記端末は、決定されたｎｕｍｅｒｏｌｏｇｙに対応するアップリンクグラント及びｎｕｍｅｒｏｌｏｇｙに対応するベアラに従い、リソースを割り当て、アップリンクデータパケットを構成する。
【００１４】
オプションとして、前記端末が、決定されたｎｕｍｅｒｏｌｏｇｙに対応するアップリンクグラント及びｎｕｍｅｒｏｌｏｇｙに対応するベアラに従い、リソースを割り当てる場合、
前記端末は、前記ｎｕｍｅｒｏｌｏｇｙに対応するベアラの優先順位に従って割り当て順序を決定し、
前記端末は、割り当て順序に従い、各ベアラのＰＢＲに基づき、アップリンクグラントに対応する未割り当てリソースから各ベアラにリソースを割り当て、
前記端末は、各ベアラにリソースを割り当てた後に、割り当て条件が満たされるかどうかを判断し、
割り当て条件が満たされない場合、割り当て順序に従い、各ベアラのＰＢＲに基づき、割り当て条件が満たされるまで、アップリンクグラントに対応する未割り当てリソースから各ベアラにリソースを割り当て、
前記割り当て条件は、リソースがすべてのベアラのデータに割り当てられること、またはリソースが使い果たされることである。
【００１５】
オプションとして、前記端末が決定されたｎｕｍｅｒｏｌｏｇｙに対応するアップリンクグラント及びｎｕｍｅｒｏｌｏｇｙに対応するベアラに従って、アップリンクデータオペレーションを実行する前に、
前記端末は、プロトコルの規定に従うか、または、ブロードキャストまたは専用シグナリングによるネットワーク側装置の構成に従って、ｎｕｍｅｒｏｌｏｇｙと物理層パラメータとの間の第８の対応関係を決定し、
前記端末が決定されたｎｕｍｅｒｏｌｏｇｙに対応するアップリンクグラント及びｎｕｍｅｒｏｌｏｇｙに対応するベアラに従って、アップリンクデータオペレーションを実行する場合、
前記端末は、前記第８の対応関係に従って、物理層パラメータを決定し、
前記端末は、決定された物理層パラメータ、ｎｕｍｅｒｏｌｏｇｙに対応するアップリンクグラント及びｎｕｍｅｒｏｌｏｇｙに対応するベアラに従って、アップリンクデータオペレーションを実行する。
【００１６】
本発明の実施例に係る他のリソースを割り当てるための方法は、
ネットワーク側装置は、第１の構成情報及び第２の構成情報を決定するステップと、
前記ネットワーク側装置は、端末に前記構成情報を送信し、前記端末が前記第１の対応関係に従ってアップリンクグラントを決定し、前記第２の対応関係に従ってベアラを決定し、アップリンクグラントに従ってアップリンクデータオペレーションを実行するようにするステップとを備え、
前記第１の構成情報は、ｎｕｍｅｒｏｌｏｇｙとアップリンクグラントとの間の第１の対応関係を決定するために使用され、前記第２の構成情報は、ｎｕｍｅｒｏｌｏｇｙとベアラとの間の第２の対応関係を決定するために使用される。
【００１７】
オプションとして、前記第１の構成情報は、以下の情報の一部または全部を含み、
ｎｕｍｅｒｏｌｏｇｙ識別子、
アップリンクグラントに対応する物理リソース、
アップリンクグラントに対応するアップリンクデータ伝送リソースに対応する物理リソース、
アップリンクグラントに対応するネットワークスライス識別子、
アップリンクグラントに対応するアップリンクデータ伝送リソースに対応するネットワークスライス識別子。
【００１８】
オプションとして、前記第２の構成情報は、以下の情報の一部または全部を含み、
前記第２の対応関係、
ｎｕｍｅｒｏｌｏｇｙとネットワークスライス識別子との間の第４の対応関係、
ＱｏＳパラメータとｎｕｍｅｒｏｌｏｇｙとの間の第５の対応関係、
ＱｏＳパラメータとネットワークスライス識別子との間の第７の対応関係、
ベアラとＱｏＳパラメータとの間の第６の対応関係、
ネットワークスライス識別子。
【００１９】
オプションとして、前記方法では、
前記ネットワーク側装置は、ブロードキャストまたは専用シグナリングにより前記端末に対してｎｕｍｅｒｏｌｏｇｙのパラメータを構成し、前記端末が前記ｎｕｍｅｒｏｌｏｇｙのパラメータに従って割り当てられたリソースによりデータを伝送するようにする。
【００２０】
本発明の実施例に係るアップリンクデータオペレーションのための端末は、
ｎｕｍｅｒｏｌｏｇｙとアップリンクグラントとの間の第１の対応関係に従って、ネットワーク側が端末に対して構成したｎｕｍｅｒｏｌｏｇｙに対応するアップリンクグラントを決定するように構成される、シグナリング決定モジュールと、
ｎｕｍｅｒｏｌｏｇｙとベアラとの間の第２の対応関係に従って、ネットワーク側が端末に対して構成したｎｕｍｅｒｏｌｏｇｙに対応するベアラを決定するように構成される、情報決定モジュールと、
決定されたｎｕｍｅｒｏｌｏｇｙに対応するアップリンクグラント及びｎｕｍｅｒｏｌｏｇｙに対応するベアラに従って、アップリンクデータオペレーションを実行するように構成される、処理モジュールと、を備える。
【００２１】
オプションとして、前記ベアラは無線ベアラまたは論理チャネルである。
【００２２】
オプションとして、前記処理モジュールは、さらに、ネットワーク側装置の構成に従い、前記第１の対応関係及び/または第２の対応関係を決定する。
【００２３】
オプションとして、前記処理モジュールは、以下の一部または全部の方式でネットワーク側装置によって構成される、前記第１の対応関係を決定するように構成され、
ネットワーク側装置によって構成される、アップリンクグラントで運ばれるｎｕｍｅｒｏｌｏｇｙ識別子に従い、前記第１の対応関係を決定し、
ネットワーク側装置によって構成される、アップリンクグラントに対応する物理リソースまたはアップリンクグラントに対応するアップリンクデータ伝送リソースに対応する物理リソース、ｎｕｍｅｒｏｌｏｇｙとアップリンクグラントまたはアップリンクデータ伝送の物理リソースとの間の第３の対応関係に従い、前記第１の対応関係を決定し、
ネットワーク側装置によって構成される、アップリンクグラントに対応するネットワークスライス識別子またはアップリンクグラントに対応するアップリンクデータ伝送リソースに対応するネットワークスライス識別子、及びｎｕｍｅｒｏｌｏｇｙとネットワークスライス識別子との間の第４の対応関係に従い、前記第１の対応関係を決定し、
ネットワーク側装置によって構成される、アップリンクグラントで運ばれるネットワークスライス識別子、及びｎｕｍｅｒｏｌｏｇｙとネットワークスライス識別子との間の第４の対応関係に従い、前記第１の対応関係を決定する。
【００２４】
オプションとして、前記処理モジュールは、以下の一部または全部の方式でネットワーク側装置によって構成された第２の対応関係を決定するように構成され、
ベアラが確立される場合、ネットワーク側装置によって構成される、ベアラとｎｕｍｅｒｏｌｏｇｙとの間の第２の対応関係を決定し、
ネットワーク側装置がアップリンクグラントにより構成した、ベアラとｎｕｍｅｒｏｌｏｇｙとの間の第２の対応関係を決定し、
ネットワーク側装置によって構成される、アップリンクグラントで運ばれるＱｏＳパラメータとｎｕｍｅｒｏｌｏｇｙとの間の第５の対応関係と、端末のベアラの確立のときに構成されたベアラとＱｏＳパラメータとの間の第６の対応関係とに従い、前記第２の対応関係を決定し、
ブロードキャストまたは専用シグナリングを介してネットワーク側装置によって通知されたＱｏＳパラメータとｎｕｍｅｒｏｌｏｇｙとの間の第５の対応関係と、端末のベアラの確立のときに構成されたベアラとＱｏＳパラメータとの間の第６の対応関係とに従い、前記第２の対応関係を決定し、
ベアラの確立ときに運ばれるネットワークスライス識別子及びｎｕｍｅｒｏｌｏｇｙとネットワークスライス識別子との間の第４の対応関係に従い、前記第２の対応関係を決定し、
ブロードキャストまたは専用シグナリングを介してネットワーク側装置によって通知されたＱｏＳパラメータとネットワークスライス識別子との間の第７の対応関係と、端末のベアラの確立のときに構成されたベアラのＱｏＳパラメータと、ブロードキャストまたは専用シグナリングを介してネットワーク側装置によって構成されたｎｕｍｅｒｏｌｏｇｙとネットワークスライス識別子との間の第４の対応関係とに従い、前記第２の対応関係を決定する。
【００２５】
オプションとして、前記処理モジュールは、
決定されたｎｕｍｅｒｏｌｏｇｙに対応するアップリンクグラント及びｎｕｍｅｒｏｌｏｇｙに対応するベアラに従い、リソースを割り当て、アップリンクデータパケットを構成する。
【００２６】
オプションとして、前記処理モジュールは、
前記ｎｕｍｅｒｏｌｏｇｙに対応するベアラの優先順位に従って割り当て順序を決定し、
割り当て順序に従い、各ベアラのＰＢＲに基づき、アップリンクグラントに対応する未割り当てリソースから各ベアラにリソースを割り当て、
各ベアラにリソースを割り当てた後に、割り当て条件が満たされるかどうかを判断し、
割り当て条件が満たされない場合、割り当て順序に従い、各ベアラのＰＢＲに基づき、割り当て条件が満たされるまで、アップリンクグラントに対応する未割り当てリソースから各ベアラにリソースを割り当て、
前記割り当て条件は、リソースがすべてのベアラのデータに割り当てられること、またはリソースが使い果たされることである。
【００２７】
オプションとして、前記処理モジュールは、
プロトコルの規定に従うか、または、ブロードキャストまたは専用シグナリングによるネットワーク側装置の構成に従って、ｎｕｍｅｒｏｌｏｇｙと物理層パラメータとの間の第８の対応関係を決定し、
前記第８の対応関係に従って、物理層パラメータを決定し、
決定された物理層パラメータ、ｎｕｍｅｒｏｌｏｇｙに対応するアップリンクグラント及びｎｕｍｅｒｏｌｏｇｙに対応するベアラに従って、アップリンクデータオペレーションを実行する。
【００２８】
本発明の実施例に係るリソースの割り当てのためのネットワーク側装置は、
第１の構成情報及び第２の構成情報を決定するように構成される構成決定モジュールと、
前記端末が前記第１の対応関係に従ってアップリンクグラントを決定し、前記第２の対応関係に従ってベアラを決定し、アップリンクグラントに従ってアップリンクデータオペレーションを実行するように、端末に前記構成情報を送信するように構成される伝送モジュールとを備え、
前記第１の構成情報は、ｎｕｍｅｒｏｌｏｇｙとアップリンクグラントとの間の第１の対応関係を決定するために使用され、前記第２の構成情報は、ｎｕｍｅｒｏｌｏｇｙとベアラとの間の第２の対応関係を決定するために使用される。
【００２９】
オプションとして、前記第１の構成情報は、以下の情報の一部または全部を含み、
ｎｕｍｅｒｏｌｏｇｙ識別子、
アップリンクグラントに対応する物理リソース、
アップリンクグラントに対応するアップリンクデータ伝送リソースに対応する物理リソース、
アップリンクグラントに対応するネットワークスライス識別子、
アップリンクグラントに対応するアップリンクデータ伝送リソースに対応するネットワークスライス識別子。
【００３０】
オプションとして、前記第２の構成情報は、以下の情報の一部または全部を含み、
前記第２の対応関係、
ｎｕｍｅｒｏｌｏｇｙとネットワークスライス識別子との間の第４の対応関係、
ＱｏＳパラメータとｎｕｍｅｒｏｌｏｇｙとの間の第５の対応関係、
ベアラとＱｏＳパラメータとの間の第６の対応関係、
ＱｏＳパラメータとネットワークスライス識別子との間の第７の対応関係、
ネットワークスライス識別子。
【００３１】
オプションとして、前記伝送モジュールは、ブロードキャストまたは専用シグナリングにより前記端末に対してｎｕｍｅｒｏｌｏｇｙのパラメータを構成し、前記端末が前記ｎｕｍｅｒｏｌｏｇｙのパラメータに従って割り当てられたリソースによりデータを伝送するようにする。
【００３２】
本発明の実施例に係る第２の端末では、
プロセッサは、メモリに格納されたプログラムを読み出し、ｎｕｍｅｒｏｌｏｇｙとアップリンクグラントとの間の第１の対応関係に従って、ネットワーク側が端末に対して構成したｎｕｍｅｒｏｌｏｇｙに対応するアップリンクグラントを決定し、ｎｕｍｅｒｏｌｏｇｙとベアラとの間の第２の対応関係に従って、ネットワーク側が端末に対して構成したｎｕｍｅｒｏｌｏｇｙに対応するベアラを決定し、決定されたｎｕｍｅｒｏｌｏｇｙに対応するアップリンクグラント及びｎｕｍｅｒｏｌｏｇｙに対応するベアラに従って、アップリンクデータオペレーションを実行し、
送受信機は、プロセッサの制御下でデータを送受信するように構成される。
【００３３】
本発明の実施例に係る第２のネットワーク側装置では、
プロセッサは、メモリに格納されたプログラムを読み出し、第１の構成情報及び第２の構成情報を決定し、前記第１の構成情報は、ｎｕｍｅｒｏｌｏｇｙとアップリンクグラントとの間の第１の対応関係を決定するために使用され、前記第２の構成情報は、ｎｕｍｅｒｏｌｏｇｙとベアラとの間の第２の対応関係を決定するために使用され、送受信機により端末に前記構成情報を送信し、前記端末が前記第１の対応関係に従ってアップリンクグラントを決定し、前記第２の対応関係に従ってベアラを決定し、アップリンクグラントに従ってアップリンクデータオペレーションを実行するようにし、
送受信機は、プロセッサの制御下でデータを送受信するように構成される。
【発明の効果】
【００３４】
本発明の実施形態では、端末は、ｎｕｍｅｒｏｌｏｇｙとアップリンクグラントとの間の第１の対応関係に従ってアップリンクグラントを決定し、ｎｕｍｅｒｏｌｏｇｙとベアラとの間の第２の対応関係に従ってベアラを決定し、そして、アップリンクグラントとベアラに従ってアップリンクデータオペレーションを実行する。本発明の実施例に係る端末は、ｎｕｍｅｒｏｌｏｇｙとアップリンクグラントとの間の第１の対応関係、及びｎｕｍｅｒｏｌｏｇｙとベアラとの間の第２の対応関係に従って、アップリンクデータオペレーションを実行することができるため、ｎｕｍｅｒｏｌｏｇｙのシナリオで、端末に、アップリンクデータオペレーションを実行させて、システムの性能をさらに向上させることができる。
【図面の簡単な説明】
【００３５】
本発明に係る実施例や従来の技術方案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【００３６】
【図１】本発明の実施例に係るアップリンクデータオペレーションのためのシステムの構成図である。
【図２】本発明の実施例に係る第１の端末の構成図である。
【図３】本発明の実施例に係る第１のネットワーク側装置の構成図である。
【図４】本発明の実施例に係る第２の端末の構成図である。
【図５】本発明の実施例に係る第２のネットワーク側装置の構成図である。
【図６】本発明の実施例に係るアップリンクデータオペレーションのための方法のフローチャートである。
【図７】本発明の実施例に係るネットワーク側装置の、端末をサポートするための、アップリンクデータオペレーションのための方法のフローチャートである。
【発明を実施するための形態】
【００３７】
本発明の実施例における目的、技術方案と利点を明確にするため、以下に本発明の実施例における図と結合して本発明の実施例における技術方案の詳細を明確に、完全に説明する。当然、記載の実施例は本発明の実施例の一部に過ぎず、全ての実施例ではない。本発明における実施例にもとづき、当業者は、創造性作業を行わないことを前提として、取得したその他の実施例は、本発明の保護範囲に属する。
【００３８】
図１に示すように、本発明に係る実施例による、アップリンクデータオペレーションのためのシステムは、端末１０と、ネットワーク側装置２０とを備える。
【００３９】
端末１０は、ｎｕｍｅｒｏｌｏｇｙとアップリンクグラントとの間の第１の対応関係に従って、ネットワーク側が端末に対して構成したｎｕｍｅｒｏｌｏｇｙに対応するアップリンクグラントを決定し、ｎｕｍｅｒｏｌｏｇｙとベアラとの間の第２の対応関係に従って、ネットワーク側が端末に対して構成したｎｕｍｅｒｏｌｏｇｙに対応するベアラを決定し、決定されたｎｕｍｅｒｏｌｏｇｙに対応するアップリンクグラント及びｎｕｍｅｒｏｌｏｇｙに対応するベアラに従って、アップリンクデータオペレーションを実行する。
【００４０】
本発明の実施例に係る端末は、ｎｕｍｅｒｏｌｏｇｙとアップリンクグラントとの間の第１の対応関係に従ってアップリンクグラントを決定し、ｎｕｍｅｒｏｌｏｇｙとベアラとの間の第２の対応関係に従ってベアラを決定し、また、アップリンクグラントとベアラに従って、アップリンクデータオペレーションを実行する。本発明の実施例に係る端末は、ｎｕｍｅｒｏｌｏｇｙとアップリンクグラントとの間の第１の対応関係、及びｎｕｍｅｒｏｌｏｇｙとベアラとの間の第２の対応関係に従って、アップリンクデータオペレーションを実行することができるため、ｎｕｍｅｒｏｌｏｇｙのシナリオで、端末に、アップリンクデータオペレーションを実行させて、システムの性能をさらに向上させることができる。
【００４１】
ここで、本発明に係る実施例のベアラは、無線ベアラ及び/または論理チャネルである。
【００４２】
実施では、ネットワーク側装置２０は、第１の構成情報及び第２の構成情報を決定し、前記第１の構成情報は、ｎｕｍｅｒｏｌｏｇｙとアップリンクグラントとの間の第１の対応関係を決定するために使用され、前記第２の構成情報は、ｎｕｍｅｒｏｌｏｇｙとベアラとの間の第２の対応関係を決定するために使用される。端末に前記構成情報を送信する。
【００４３】
一方、前記端末は、ネットワーク側装置の構成に従い、前記第１の対応関係及び/または第２の対応関係を決定する。
【００４４】
以下、第１の対応関係および第２の対応関係の構成方式についてそれぞれ説明する。
【００４５】
I.  第１の対応関係を構成する。
【００４６】
<方式１>第１の構成情報は第１の対応関係を含む。
【００４７】
具体的に、ネットワーク側装置は、アップリンクグラントにおいてｎｕｍｅｒｏｌｏｇｙ識別子を搬送し、当該アップリンクグラントを端末に送信する。
【００４８】
一方、前記端末は、ネットワーク側装置によって構成されたアップリンクグラントで運ばれるｎｕｍｅｒｏｌｏｇｙ識別子に従って前記第１の対応関係を決定する。
【００４９】
当該方式では、ネットワーク側装置は、アップリンクグラントにおいて、ｎｕｍｅｒｏｌｏｇｙ識別子を直接に搬送する。
【００５０】
端末は、ｎｕｍｅｒｏｌｏｇｙ識別子に対応するｎｕｍｅｒｏｌｏｇｙとベアラ識別子のアップリンクグラントとの間の対応関係を直接に確立する。
【００５１】
識別子は、例としてのみ上述したようにアップリンクグラントを介して通知されるが、第１の対応関係を端末に通知することができる任意の実施形態は、本発明の実施例に適用可能である。
【００５２】
<方式２>第１の構成情報は、アップリンクグラントに対応する物理リソースまたはアップリンクグラントに対応するアップリンクデータ伝送リソースに対応する物理リソースを含む。
【００５３】
具体的に、ネットワーク側装置は、端末に対して、アップリンクグラントに対応する物理リソースまたはアップリンクグラントに対応するアップリンクデータ伝送リソースに対応する物理リソースを構成する。
【００５４】
一方、前記端末は、ネットワーク側装置によって構成されたアップリンクグラントに対応する物理リソースまたはアップリンクグラントに対応するアップリンクデータ伝送リソースに対応する物理リソース、ｎｕｍｅｒｏｌｏｇｙとアップリンクグラントまたはアップリンクデータ伝送の物理リソースとの間の第３の対応関係に従い、前記第１の対応関係を決定する。
【００５５】
例えば、ネットワーク側装置は、端末に対してアップリンクグラントに対応する物理リソースを構成する。
【００５６】
端末は、ｎｕｍｅｒｏｌｏｇｙと、アップリンクグラントに対応する物理リソースとの間の第３の対応関係に従って、対応のｎｕｍｅｒｏｌｏｇｙを決定した後、物理リソースに対応するｎｕｍｅｒｏｌｏｇｙとアップリンクグラントとの間の対応関係を確立する。
【００５７】
例えば、ネットワーク側装置は、端末に対してアップリンクグラントに対応するアップリンクデータ伝送リソースを構成する。
【００５８】
端末は、ｎｕｍｅｒｏｌｏｇｙと、アップリンクグラントに対応するアップリンクデータ伝送リソースに対応する物理リソースとの間の第３の対応関係に従って、対応のｎｕｍｅｒｏｌｏｇｙを決定した後、物理リソースに対応するｎｕｍｅｒｏｌｏｇｙとアップリンクグラントとの間の対応関係を確立する。
【００５９】
<方式３>第１の構成情報は、アップリンクグラントに対応するネットワークスライス識別子またはアップリンクグラントに対応するアップリンクデータ伝送リソースに対応するネットワークスライス識別子を含む。
【００６０】
具体的に、ネットワーク側装置は、端末に対してアップリンクグラントに対応するネットワークスライス識別子（即ち、ネットワークスライス識別子とアップリンクグラントをバンディングする）またはアップリンクグラントに対応するアップリンクデータ伝送リソースに対応するネットワークスライス識別子（ネットワークスライス識別子とアップリンクデータ伝送リソースをバンディングする）を構成する
一方、前記端末は、ネットワーク側装置によって構成されたアップリンクグラントまたはアップリンクグラントに対応するアップリンクデータ伝送リソースに対応するネットワークスライス識別子、及びｎｕｍｅｒｏｌｏｇｙとネットワークスライス識別子との間の第４の対応関係に従って、前記第１の対応関係を決定する。
【００６１】
例えば、ネットワーク側装置は、端末に対してアップリンクグラントに対応するネットワークスライス識別子を構成する。
【００６２】
端末は、ｎｕｍｅｒｏｌｏｇｙとネットワークスライス識別子との間の第４の対応関係に従って、対応のｎｕｍｅｒｏｌｏｇｙを決定した後、ネットワークスライス識別子に対応するｎｕｍｅｒｏｌｏｇｙとアップリンクグラントとの間の対応関係を確立する。
【００６３】
例えば、ネットワーク側装置は、端末に対してアップリンクグラントに対応するアップリンクデータ伝送リソースに対応するネットワークスライス識別子を構成する。
【００６４】
端末は、ｎｕｍｅｒｏｌｏｇｙとネットワークスライス識別子との間の第４の対応関係に従ってｎｕｍｅｒｏｌｏｇｙを決定した後、ネットワークスライス識別子に対応するｎｕｍｅｒｏｌｏｇｙとアップリンクグラントとの間の対応関係を確立する。
【００６５】
<方式４>第１の構成情報は、ネットワークスライス識別子を含む。
【００６６】
具体的に、ネットワーク側装置は、アップリンクグラントでネットワークスライス識別子を搬送する。
【００６７】
一方、前記端末は、アップリンクグラントで運ばれるネットワークスライス識別子、及びｎｕｍｅｒｏｌｏｇｙとネットワークスライス識別子との間の第４の対応関係に従い、前記第１の対応関係を決定する。
【００６８】
端末は、ネットワークスライス識別子が含まれるアップリンクグラントを受信した後、第４の対応関係に従って当該ネットワークスライス識別子に対応するｎｕｍｅｒｏｌｏｇｙを決定する。ネットワークスライス識別子が含まれるアップリンクグラントと決定されたｎｕｍｅｒｏｌｏｇｙとの間の対応関係を確立する。
【００６９】
上記のいくつかの方式は例として説明されたに過ぎないが、端末が第１の対応関係で構成され得る任意の方式が本発明の実施例に適用可能であることに留意されたい。例えば、ネットワーク側装置は、端末に対して第１の対応関係を構成することができる。
【００７０】
II.第２の対応関係を構成する。
【００７１】
<方式１>第２の構成情報はベアラとｎｕｍｅｒｏｌｏｇｙとの間の第２の対応関係を含む。
【００７２】
具体的に、ネットワーク側装置は、端末のベアラが確立されたときに、端末に対してベアラとｎｕｍｅｒｏｌｏｇｙとの間の第２の対応関係を構成する。
【００７３】
一方、前記端末は、ベアラが確立される場合、ネットワーク側装置によって構成される、ベアラとｎｕｍｅｒｏｌｏｇｙとの間の第２の対応関係を決定する。
【００７４】
ここで、ネットワーク側装置は、端末に対して、第２の対応関係を直接に構成することができる。
【００７５】
ベアラが確立される場合、端末に対して構成するのは、例に過ぎず、端末が第２の対応関係を使用する前の任意の時点端末に対して構成できることに留意されたい。
【００７６】
<方式２>第２の構成情報は、ベアラとｎｕｍｅｒｏｌｏｇｙとの間の第２の対応関係を備える。
【００７７】
具体的に、ネットワーク側装置は、アップリンクグラントでベアラとｎｕｍｅｒｏｌｏｇｙとの間の第２の対応関係を搬送し、アップリンクグラントを端末に送信する。
【００７８】
一方、端末は、ネットワーク側装置がアップリンクグラントにより構成した、ベアラとｎｕｍｅｒｏｌｏｇｙとの間の第２の対応関係を決定する。
【００７９】
ここで、ネットワーク側装置は、端末に対して、第２の対応関係を直接に構成することができる。
【００８０】
アップリンクグラントで端末に対して構成するのは、例に過ぎず、第２の対応関係を端末に対して構成できる情報であれば本発明に係る実施例に適用できることに留意されたい。
【００８１】
<方式３>第２の構成情報は、ｎｕｍｅｒｏｌｏｇｙとネットワークスライス識別子との間の第４の対応関係、及びＱｏＳパラメータとｎｕｍｅｒｏｌｏｇｙとの間の第５の対応関係を含む。
【００８２】
具体的に、ネットワーク側装置は、アップリンクグラントでＱｏＳパラメータとｎｕｍｅｒｏｌｏｇｙとの間の第５の対応関係を搬送し、アップリンクグラントを端末に送信する。また、端末のベアラが確立されたときに、端末に対してベアラとＱｏＳパラメータとの間の第６の対応関係を構成する。
【００８３】
一方、前記端末は、ネットワーク側装置によって構成される、アップリンクグラントで運ばれるＱｏＳパラメータとｎｕｍｅｒｏｌｏｇｙとの間の第５の対応関係と、端末のベアラの確立のときに構成されたベアラとＱｏＳパラメータとの間の第６の対応関係とに従い、前記第２の対応関係を決定する。
【００８４】
端末は、ネットワーク側装置によって構成される、アップリンクグラントで運ばれるＱｏＳパラメータとｎｕｍｅｒｏｌｏｇｙとの間の第５の対応関係と、端末のベアラの確立のときに構成されたベアラとＱｏＳパラメータとの間の第６の対応関係とに従い、同一のＱｏＳパラメータに対応するｎｕｍｅｒｏｌｏｇｙとベアラとの間の対応関係を確立する。
【００８５】
上記で説明したアップリンクグラントにより端末に対して構成することを例示したに過ぎないが、端末に対して第５の対応関係を構成するための情報であれば本発明に係る実施例に適用できる。ベアラが確立される場合、端末に対して第６の対応関係を構成することを例示したに過ぎないが、端末が第２の対応関係を利用する前の任意の時点で端末に対して構成することができる。
【００８６】
<方式４>第２の構成情報は、ｎｕｍｅｒｏｌｏｇｙとネットワークスライス識別子との間の第４の対応関係、及びＱｏＳパラメータとｎｕｍｅｒｏｌｏｇｙとの間の第５の対応関係を含む。
【００８７】
具体的に、ネットワーク側装置は、ブロードキャストまたは専用シグナリングにより、端末に対してＱｏＳパラメータとｎｕｍｅｒｏｌｏｇｙとの間の第５の対応関係を構成し、端末のベアラが確立されたときに、端末に対してベアラとＱｏＳパラメータとの間の第６の対応関係を構成する。
【００８８】
一方、前記端末は、ブロードキャストまたは専用シグナリングを介してネットワーク側装置によって通知されたＱｏＳパラメータとｎｕｍｅｒｏｌｏｇｙとの間の第５の対応関係と、端末のベアラの確立のときに構成されたベアラとＱｏＳパラメータとの間の第６の対応関係とに従い、前記第２の対応関係を決定する。
【００８９】
端末は、ネットワーク側装置によって構成される、アップリンクグラントで運ばれるＱｏＳパラメータとｎｕｍｅｒｏｌｏｇｙとの間の第５の対応関係と、端末のベアラの確立のときに構成されたベアラとＱｏＳパラメータとの間の第６の対応関係とに従い、同一のＱｏＳパラメータに対応するｎｕｍｅｒｏｌｏｇｙとベアラとの間の対応関係を確立する。
【００９０】
以上説明したブロードキャストまたは専用シグナリングにより端末に対して構成することを例示したに過ぎないが、端末に対して第５の対応関係を構成するための情報であれば本発明に係る実施例に適用することができる。ベアラが確立される場合、端末に対して配置第６の対応関係ことを例示したに過ぎないが、端末が第２の対応関係を利用するいかなる時点で端末に対して構成することができる。
【００９１】
<方式５>第２の構成情報はネットワークスライス識別子を含む。
【００９２】
具体的に、ネットワーク側装置は、端末のベアラが確立されたときに、端末に対してネットワークスライス識別子を構成する。
【００９３】
一方、前記端末は、ベアラの確立ときに運ばれるネットワークスライス識別子及びｎｕｍｅｒｏｌｏｇｙとネットワークスライス識別子との間の第４の対応関係に従い、前記第２の対応関係を決定する。
【００９４】
端末は、ｎｕｍｅｒｏｌｏｇｙとネットワークスライス識別子との間の第４の対応関係に従って、構成ｓれたネットワークスライス識別子に対応するｎｕｍｅｒｏｌｏｇｙを決定することができ、決定されたｎｕｍｅｒｏｌｏｇｙとベアラとの間の対応関係を確立する。
【００９５】
ベアラが確立される場合、端末に対して構成することを例示したに過ぎないが、端末が第２の対応関係を利用する前のいかなる時点で端末に対して構成することができる。
【００９６】
<方式６>第２の構成情報は、ＱｏＳパラメータとネットワークスライス識別子との間の第７の対応関係、及びｎｕｍｅｒｏｌｏｇｙとネットワークスライス識別子との間の第４の対応関係を含む。
【００９７】
具体的に、ネットワーク側装置は、ブロードキャストまたは専用シグナリングにより、端末に対してＱｏＳパラメータとネットワークスライス識別子との間の第７の対応関係を構成し、また、ブロードキャストまたは専用シグナリングにより端末に対してｎｕｍｅｒｏｌｏｇｙとネットワークスライス識別子との間の第４の対応関係を構成し、また、端末のベアラが確立されたときに、端末に対してベアラのＱｏＳパラメータを構成する。
【００９８】
一方、前記端末は、ブロードキャストまたは専用シグナリングを介してネットワーク側装置によって通知されたＱｏＳパラメータとネットワークスライス識別子との間の第７の対応関係と、端末のベアラの確立のときに構成されたベアラのＱｏＳパラメータと、ブロードキャストまたは専用シグナリングを介してネットワーク側装置によって構成されたｎｕｍｅｒｏｌｏｇｙとネットワークスライス識別子との間の第４の対応関係とに従い、前記第２の対応関係を決定する。
【００９９】
ここで、端末は、ＱｏＳパラメータとネットワークスライス識別子との間の第７の対応関係に従って、ベアラの確立ときに構成されたＱｏＳパラメータに対応するネットワークスライス識別子を取得することができる。そして、ｎｕｍｅｒｏｌｏｇｙとネットワークスライス識別子との間の第４の対応関係に従って、その前に決定されたネットワークスライス識別子に対応するｎｕｍｅｒｏｌｏｇｙを取得する。最後に、決定されたｎｕｍｅｒｏｌｏｇｙとベアラとの間の対応関係を確立する。
【０１００】
以上説明したブロードキャストまたは専用シグナリングにより端末に対して構成することを例示したに過ぎないが、端末に対して第４の対応関係及び第７の対応関係を構成するための情報であれば、本発明に係る実施例に適用できる。ベアラが確立される場合、端末に対して配置ＱｏＳことを例示したに過ぎないが、端末が第２の対応関係を利用する前のいかなる時点で端末に対して構成することができる。
【０１０１】
上述のアップリンクグラントは、任意のアップリンクグラント、例えば、ＰＤＣＣＨ（Ｐｈｙｓｉｃａｌ Ｄｏｗｎｌｉｎｋ Ｃｏｎｔｒｏｌ Ｃｈａｎｎｅｌ，ダウンリンク制御チャネル）などとすることができる。
【０１０２】
オプションとして、前記端末が実行するアップリンクデータオペレーションは、リソースを割り当て、アップリンクデータパケットの構成を含む。
【０１０３】
前記端末は、決定されたｎｕｍｅｒｏｌｏｇｙに対応するアップリンクグラント及びｎｕｍｅｒｏｌｏｇｙに対応するベアラに従い、リソースを割り当てる場合、ベアラの優先順位で割り当て順序を決定して割り当てる。
【０１０４】
具体的に、前記端末は、前記ｎｕｍｅｒｏｌｏｇｙに対応するベアラの優先順位に従って割り当て順序を決定する。
【０１０５】
前記端末は、割り当て順序に従い、各ベアラのＰＢＲ（Prioritized Bit Rate，ネットワークスライス識別子を構成する）に基づき、アップリンクグラントに対応する未割り当てリソースから各ベアラにリソースを割り当てる。
【０１０６】
前記端末は、各ベアラにリソースを割り当てた後に、割り当て条件が満たされるかどうかを判断する。
【０１０７】
割り当て条件が満たされない場合、割り当て順序に従い、各ベアラのＰＢＲに基づき、割り当て条件が満たされるまで、アップリンクグラントに対応する未割り当てリソースから各ベアラにリソースを割り当てる。
【０１０８】
前記割り当て条件は、リソースがすべてのベアラのデータに割り当てられること、またはリソースが使い果たされることである。
【０１０９】
例えば、ベアラＡ、ベアラＢ、およびベアラＣの３つのベアラがあり、ｎｕｍｅｒｏｌｏｇｙに対応するベアラの優先順位で割り当て順序をベアラＣ、ベアラＡ、およびベアラＢとして決定する。
【０１１０】
最初に、ベアラＣのＰＢＲに従って、すべての未割り当てリソースからベアラＣにリソースを割り当て、その後、ベアラＡのＰＢＲに従ってすべての未割り当てリソースからベアラＡにリソースを割り当て、最後にベアラＢのＰＢＲに従って、すべての未割り当てリソースからベアラＢにをリソースを割り当てる。
【０１１１】
あるベアラのデータにリソースが割り当てられていない場合、または割り当て可能なリソースの中に割り当てられていないリソースがある場合、すべてのベアラのデータに割り当てられるまで、またはリソースが使い果たされるまで（割り当て可能なすべてのリソースが割り当てられている）、ベアラＣ、ベアラＡ、ベアラＢの順で引き続きベアラにリソースを割り当てる。
【０１１２】
オプションとして、前記端末は、プロトコルの規定に従うか、または、ブロードキャストまたは専用シグナリングによるネットワーク側装置の構成に従って、ｎｕｍｅｒｏｌｏｇｙと物理層パラメータとの間の第８の対応関係を決定する。
【０１１３】
前記端末が、決定されたｎｕｍｅｒｏｌｏｇｙに対応するアップリンクグラント及びｎｕｍｅｒｏｌｏｇｙに対応するベアラに従って、アップリンクデータオペレーションを実行する場合、前記端末は、前記第８の対応関係に従って、物理層パラメータを決定し、
前記端末は、決定された物理層パラメータ、ｎｕｍｅｒｏｌｏｇｙに対応するアップリンクグラント及びｎｕｍｅｒｏｌｏｇｙに対応するベアラに従って、アップリンクデータオペレーションを実行する。
【０１１４】
ここで、物理層パラメータは、以下のパラメータの一部または全部を含むが、これらに限定されない。サブキャリア間隔、ＣＰ（ Ｃｙｃｌｉｃ Ｐｒｅｆｉｘ，  サイクリックプレフィックス)の長さ、Ｔｔｉ（Ｔｒａｎｓｍｉｓｓｉｏｎ Ｔｉｍｅ Ｉｎｔｅｒｖａｌ，伝送時間間隔）の長さ。
【０１１５】
図２に示すように、本発明に係る実施例第１の端末は、
ｎｕｍｅｒｏｌｏｇｙとアップリンクグラントとの間の第１の対応関係に従って、ネットワーク側が端末に対して構成したｎｕｍｅｒｏｌｏｇｙに対応するアップリンクグラントを決定するためのシグナリング決定モジュール２００と、
ｎｕｍｅｒｏｌｏｇｙとベアラとの間の第２の対応関係に従って、ネットワーク側が端末に対して構成したｎｕｍｅｒｏｌｏｇｙに対応するベアラを決定するための情報決定モジュール２０１と、
決定されたｎｕｍｅｒｏｌｏｇｙに対応するアップリンクグラント及びｎｕｍｅｒｏｌｏｇｙに対応するベアラに従って、アップリンクデータオペレーションを実行するための処理モジュール２０２とを備える。
【０１１６】
オプションとして、前記ベアラは無線ベアラまたは論理チャネルである。
【０１１７】
オプションとして、前記処理モジュール２０２は、さらに、ネットワーク側装置の構成に従い、前記第１の対応関係及び/または第２の対応関係を決定する。
【０１１８】
オプションとして、前記処理モジュール２０２は、以下の一部または全部の方式でネットワーク側装置によって構成される、前記第１の対応関係を決定するように構成される。
【０１１９】
ネットワーク側装置によって構成される、アップリンクグラントで運ばれるｎｕｍｅｒｏｌｏｇｙ識別子に従い、前記第１の対応関係を決定する。
【０１２０】
ネットワーク側装置によって構成される、アップリンクグラントに対応する物理リソースまたはアップリンクグラントに対応するアップリンクデータ伝送リソースに対応する物理リソース、ｎｕｍｅｒｏｌｏｇｙとアップリンクグラントまたはアップリンクデータ伝送の物理リソースとの間の第３の対応関係に従い、前記第１の対応関係を決定し、
ネットワーク側装置によって構成される、アップリンクグラントに対応するネットワークスライス識別子またはアップリンクグラントに対応するアップリンクデータ伝送リソースに対応するネットワークスライス識別子、及びｎｕｍｅｒｏｌｏｇｙとネットワークスライス識別子との間の第４の対応関係に従い、前記第１の対応関係を決定する。
【０１２１】
ネットワーク側装置によって構成される、アップリンクグラントで運ばれるネットワークスライス識別子、及びｎｕｍｅｒｏｌｏｇｙとネットワークスライス識別子との間の第４の対応関係に従い、前記第１の対応関係を決定する。
【０１２２】
オプションとして、前記処理モジュール２０２は、以下の一部または全部の方式でネットワーク側装置によって構成された第２の対応関係を決定するように構成される。
【０１２３】
ベアラが確立される場合、ネットワーク側装置によって構成される、ベアラとｎｕｍｅｒｏｌｏｇｙとの間の第２の対応関係を決定する。
【０１２４】
ネットワーク側装置がアップリンクグラントにより構成した、ベアラとｎｕｍｅｒｏｌｏｇｙとの間の第２の対応関係を決定する。
【０１２５】
ネットワーク側装置によって構成される、アップリンクグラントで運ばれるＱｏＳパラメータとｎｕｍｅｒｏｌｏｇｙとの間の第５の対応関係と、端末のベアラの確立のときに構成されたベアラとＱｏＳパラメータとの間の第６の対応関係とに従い、前記第２の対応関係を決定する。
【０１２６】
ブロードキャストまたは専用シグナリングを介してネットワーク側装置によって通知されたＱｏＳパラメータとｎｕｍｅｒｏｌｏｇｙとの間の第５の対応関係と、端末のベアラの確立のときに構成されたベアラとＱｏＳパラメータとの間の第６の対応関係とに従い、前記第２の対応関係を決定する。
【０１２７】
ベアラの確立ときに運ばれるネットワークスライス識別子及びｎｕｍｅｒｏｌｏｇｙとネットワークスライス識別子との間の第４の対応関係に従い、前記第２の対応関係を決定する。
【０１２８】
ブロードキャストまたは専用シグナリングを介してネットワーク側装置によって通知されたＱｏＳパラメータとネットワークスライス識別子との間の第７の対応関係と、端末のベアラの確立のときに構成されたベアラのＱｏＳパラメータと、ブロードキャストまたは専用シグナリングを介してネットワーク側装置によって構成されたｎｕｍｅｒｏｌｏｇｙとネットワークスライス識別子との間の第４の対応関係とに従い、前記第２の対応関係を決定する。
【０１２９】
オプションとして、前記処理モジュール２０２は、決定されたｎｕｍｅｒｏｌｏｇｙに対応するアップリンクグラント及びｎｕｍｅｒｏｌｏｇｙに対応するベアラに従い、リソースを割り当て、アップリンクデータパケットを構成する。
【０１３０】
オプションとして、前記処理モジュール２０２は、前記ｎｕｍｅｒｏｌｏｇｙに対応するベアラの優先順位に従って割り当て順序を決定し、割り当て順序に従い、各ベアラのＰＢＲに基づき、アップリンクグラントに対応する未割り当てリソースから各ベアラにリソースを割り当て、各ベアラにリソースを割り当てた後に、割り当て条件が満たされるかどうかを判断する。割り当て条件が満たされない場合、割り当て順序に従い、各ベアラのＰＢＲに基づき、割り当て条件が満たされるまで、アップリンクグラントに対応する未割り当てリソースから各ベアラにリソースを割り当てる。
【０１３１】
前記割り当て条件は、リソースがすべてのベアラのデータに割り当てられること、またはリソースが使い果たされることである。
【０１３２】
オプションとして、前記処理モジュール２０２は、プロトコルの規定に従うか、または、ブロードキャストまたは専用シグナリングによるネットワーク側装置の構成に従って、ｎｕｍｅｒｏｌｏｇｙと物理層パラメータとの間の第８の対応関係を決定する。
【０１３３】
前記第８の対応関係に従って、物理層パラメータを決定する。
【０１３４】
決定された物理層パラメータ、ｎｕｍｅｒｏｌｏｇｙに対応するアップリンクグラント及びｎｕｍｅｒｏｌｏｇｙに対応するベアラに従って、アップリンクデータオペレーションを実行する。
【０１３５】
図３に示すように、本発明に係る実施例第１のネットワーク側装置は、
第１の構成情報及び第２の構成情報を決定し、前記第１の構成情報は、ｎｕｍｅｒｏｌｏｇｙとアップリンクグラントとの間の第１の対応関係を決定するために使用されるための構成決定モジュール３００と、
端末に前記構成情報を送信し、前記端末が前記第１の対応関係に従ってアップリンクグラントを決定し、前記第２の対応関係に従ってベアラを決定し、アップリンクグラントに従ってアップリンクデータオペレーションを実行するようにするための伝送モジュール３０１とを備える。
【０１３６】
前記第２の構成情報は、ｎｕｍｅｒｏｌｏｇｙとベアラとの間の第２の対応関係を決定するために使用される。
【０１３７】
オプションとして、前記第１の構成情報は、以下の情報の一部または全部を含む。
【０１３８】
ｎｕｍｅｒｏｌｏｇｙ識別子、
アップリンクグラントに対応する物理リソース、
アップリンクグラントに対応するアップリンクデータ伝送リソースに対応する物理リソース、
アップリンクグラントに対応するネットワークスライス識別子
アップリンクグラントに対応するアップリンクデータ伝送リソースに対応するネットワークスライス識別子。
【０１３９】
オプションとして、前記第２の構成情報は、以下の情報の一部または全部を含み、
前記第２の対応関係、
ｎｕｍｅｒｏｌｏｇｙとネットワークスライス識別子との間の第４の対応関係、
ＱｏＳパラメータとｎｕｍｅｒｏｌｏｇｙとの間の第５の対応関係、
ベアラとＱｏＳパラメータとの間の第６の対応関係、
ＱｏＳパラメータとネットワークスライス識別子との間の第７の対応関係、
ネットワークスライス識別子。
【０１４０】
オプションとして、前記伝送モジュール３０１は、さらに、ブロードキャストまたは専用シグナリングにより前記端末に対してｎｕｍｅｒｏｌｏｇｙのパラメータを構成し、前記端末が前記ｎｕｍｅｒｏｌｏｇｙのパラメータに従って割り当てられたリソースによりデータを伝送するようにする。
【０１４１】
図４に示すように、本発明に係る実施例第２の端末では、
プロセッサ４０１は、メモリ４０４に格納されたプログラムを読み出し、ｎｕｍｅｒｏｌｏｇｙとアップリンクグラントとの間の第１の対応関係に従って、ネットワーク側が端末に対して構成したｎｕｍｅｒｏｌｏｇｙに対応するアップリンクグラントを決定し、ｎｕｍｅｒｏｌｏｇｙとベアラとの間の第２の対応関係に従って、ネットワーク側が端末に対して構成したｎｕｍｅｒｏｌｏｇｙに対応するベアラを決定し、決定されたｎｕｍｅｒｏｌｏｇｙに対応するアップリンクグラント及びｎｕｍｅｒｏｌｏｇｙに対応するベアラに従って、アップリンクデータオペレーションを実行する
送受信機４０２は、プロセッサ４０１の制御下でデータを送受信するように構成される。
【０１４２】
オプションとして、前記ベアラは無線ベアラまたは論理チャネルである。
【０１４３】
オプションとして、前記プロセッサ４０１は、さらに、ネットワーク側装置の構成に従い、前記第１の対応関係及び/または第２の対応関係を決定する。
【０１４４】
オプションとして、前記プロセッサ４０１は、以下の一部または全部の方式でネットワーク側装置によって構成される、前記第１の対応関係を決定するように構成される。
【０１４５】
ネットワーク側装置によって構成される、アップリンクグラントで運ばれるｎｕｍｅｒｏｌｏｇｙ識別子に従い、前記第１の対応関係を決定する。
【０１４６】
ネットワーク側装置によって構成される、アップリンクグラントに対応する物理リソースまたはアップリンクグラントに対応するアップリンクデータ伝送リソースに対応する物理リソース、ｎｕｍｅｒｏｌｏｇｙとアップリンクグラントまたはアップリンクデータ伝送の物理リソースとの間の第３の対応関係に従い、前記第１の対応関係を決定し、
ネットワーク側装置によって構成される、アップリンクグラントに対応するネットワークスライス識別子またはアップリンクグラントに対応するアップリンクデータ伝送リソースに対応するネットワークスライス識別子、及びｎｕｍｅｒｏｌｏｇｙとネットワークスライス識別子との間の第４の対応関係に従い、前記第１の対応関係を決定する。
【０１４７】
ネットワーク側装置によって構成される、アップリンクグラントで運ばれるネットワークスライス識別子、及びｎｕｍｅｒｏｌｏｇｙとネットワークスライス識別子との間の第４の対応関係に従い、前記第１の対応関係を決定する。
【０１４８】
オプションとして、前記プロセッサ４０１は、以下の一部または全部の方式でネットワーク側装置によって構成された第２の対応関係を決定するように構成される。
【０１４９】
ベアラが確立される場合、ネットワーク側装置によって構成される、ベアラとｎｕｍｅｒｏｌｏｇｙとの間の第２の対応関係を決定する。
【０１５０】
ネットワーク側装置がアップリンクグラントにより構成した、ベアラとｎｕｍｅｒｏｌｏｇｙとの間の第２の対応関係を決定する。
【０１５１】
ネットワーク側装置によって構成される、アップリンクグラントで運ばれるＱｏＳパラメータとｎｕｍｅｒｏｌｏｇｙとの間の第５の対応関係と、端末のベアラの確立のときに構成されたベアラとＱｏＳパラメータとの間の第６の対応関係とに従い、前記第２の対応関係を決定する。
【０１５２】
ブロードキャストまたは専用シグナリングを介してネットワーク側装置によって通知されたＱｏＳパラメータとｎｕｍｅｒｏｌｏｇｙとの間の第５の対応関係と、端末のベアラの確立のときに構成されたベアラとＱｏＳパラメータとの間の第６の対応関係とに従い、前記第２の対応関係を決定する。
【０１５３】
ベアラの確立ときに運ばれるネットワークスライス識別子及びｎｕｍｅｒｏｌｏｇｙとネットワークスライス識別子との間の第４の対応関係に従い、前記第２の対応関係を決定する。
【０１５４】
ブロードキャストまたは専用シグナリングを介してネットワーク側装置によって通知されたＱｏＳパラメータとネットワークスライス識別子との間の第７の対応関係と、端末のベアラの確立のときに構成されたベアラのＱｏＳパラメータと、ブロードキャストまたは専用シグナリングを介してネットワーク側装置によって構成されたｎｕｍｅｒｏｌｏｇｙとネットワークスライス識別子との間の第４の対応関係とに従い、前記第２の対応関係を決定する。
【０１５５】
オプションとして、前記プロセッサ４０１は、決定されたｎｕｍｅｒｏｌｏｇｙに対応するアップリンクグラント及びｎｕｍｅｒｏｌｏｇｙに対応するベアラに従い、リソースを割り当て、アップリンクデータパケットを構成する。
【０１５６】
オプションとして、前記プロセッサ４０１は、前記ｎｕｍｅｒｏｌｏｇｙに対応するベアラの優先順位に従って割り当て順序を決定し、割り当て順序に従い、各ベアラのＰＢＲに基づき、アップリンクグラントに対応する未割り当てリソースから各ベアラにリソースを割り当てる。各ベアラにリソースを割り当てた後に、割り当て条件が満たされるかどうかを判断する。割り当て条件が満たされない場合、割り当て順序に従い、各ベアラのＰＢＲに基づき、割り当て条件が満たされるまで、アップリンクグラントに対応する未割り当てリソースから各ベアラにリソースを割り当てる。
【０１５７】
前記割り当て条件は、リソースがすべてのベアラのデータに割り当てられること、またはリソースが使い果たされることである。
【０１５８】
オプションとして、前記プロセッサ４０１は、プロトコルの規定に従うか、または、ブロードキャストまたは専用シグナリングによるネットワーク側装置の構成に従って、ｎｕｍｅｒｏｌｏｇｙと物理層パラメータとの間の第８の対応関係を決定する。
【０１５９】
前記第８の対応関係に従って、物理層パラメータを決定する。
【０１６０】
決定された物理層パラメータ、ｎｕｍｅｒｏｌｏｇｙに対応するアップリンクグラント及びｎｕｍｅｒｏｌｏｇｙに対応するベアラに従って、アップリンクデータオペレーションを実行する。
【０１６１】
図４において、バスアーキテクチャ（バス４００で示す）において、バス４００は、いずれ数の相互接続するバス及びブリッジを備える。バス４００は、汎用プロセッサ４０１が代表となる１つまたは複数のプロセッサ及びメモリ４０４が代表となるメモリの多様な回路により接続される。バス４００バスアーキテクチャは、外部設備、電圧レギュレーター及び電力管理回路等の他の回路を接続することもできる。これらは、当該分野の周知技術であるため、本発明において、詳細に説明しない。バスインターフェース４０３はバス４００と送受信機４０２との間にインターフェースを提供する。送受信機４０２は、複数の部品であることができ、即ち、送信機及び受信機を備え、伝送媒体を介して他の装置と通信するユニットを提供する。例えば、送受信機４０２は他の装置から外部データを受信する。送受信機４０２は、プロセッサ４０１によって処理されたデータを他の装置に送信するように構成される。コンピューティングシステムの性質に応じて、例えばキーパッド、モニタ、スピーカ、マイクロフォン、ジョイスティックなどのユーザインタフェース４０５をさらに提供することができる。
【０１６２】
プロセッサ４０１は、バス４００を管理し、例えば一般的なオペレーティングシステムを実行するなど、通常のプロセスを実行する責任があり、メモリ４０４は、プロセッサ４０１が動作する際に利用するデータを記憶することができる。
【０１６３】
オプションとして、プロセッサ４０１は、中央処理装置（ＣＰＵ）、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＦＰＧＡ（Ｆｉｅｌｄ−Ｐｒｏｇｒａｍｍａｂｌｅ Ｇａｔｅ Ａｒｒａｙ）またはＣＰＬＤ（Ｃｏｍｐｌｅｘ  Ｐｒｏｇｒａｍｍａｂｌｅ  Ｌｏｇｉｃ  Ｄｅｖｉｃｅ）とすることができる、
図５に示すように、本発明に係る実施例による第２のネットワーク側装置では、
プロセッサ５０１は、メモリ５０４に格納されたプログラムを読み出し、第１の構成情報及び第２の構成情報を決定し、前記第１の構成情報は、ｎｕｍｅｒｏｌｏｇｙとアップリンクグラントとの間の第１の対応関係を決定するために使用され、前記第２の構成情報は、ｎｕｍｅｒｏｌｏｇｙとベアラとの間の第２の対応関係を決定するために使用され、送受信機５０２を介して端末に前記構成情報を送信し、前記端末が前記第１の対応関係に従ってアップリンクグラントを決定し、前記第２の対応関係に従ってベアラを決定し、アップリンクグラントに従ってアップリンクデータオペレーションを実行するようにする。
【０１６４】
送受信機５０２は、プロセッサ５０１の制御下でデータを送受信するように構成される。
【０１６５】
オプションとして、前記第１の構成情報は、以下の情報の一部または全部を含む。
【０１６６】
ｎｕｍｅｒｏｌｏｇｙ識別子、
アップリンクグラントに対応する物理リソース、
アップリンクグラントに対応するアップリンクデータ伝送リソースに対応する物理リソース、
アップリンクグラントに対応するネットワークスライス識別子、
アップリンクグラントに対応するアップリンクデータ伝送リソースに対応するネットワークスライス識別子。
【０１６７】
オプションとして、前記第２の構成情報は、以下の情報の一部または全部を含む。
【０１６８】
前記第２の対応関係、
ｎｕｍｅｒｏｌｏｇｙとネットワークスライス識別子との間の第４の対応関係、
ＱｏＳパラメータとｎｕｍｅｒｏｌｏｇｙとの間の第５の対応関係、
ベアラとＱｏＳパラメータとの間の第６の対応関係、
ＱｏＳパラメータとネットワークスライス識別子との間の第７の対応関係、
ネットワークスライス識別子。
【０１６９】
オプションとして、前記プロセッサ５０１は、さらに、ブロードキャストまたは専用シグナリングにより前記端末に対してｎｕｍｅｒｏｌｏｇｙのパラメータを構成し、前記端末が前記ｎｕｍｅｒｏｌｏｇｙのパラメータに従って割り当てられたリソースによりデータを伝送するようにする。
【０１７０】
図５において、バスアーキテクチャ（バス５００で示す）において、バス５００は、いずれ数の相互接続するバス及びブリッジを備える。バス５００は、プロセッサ５０１が代表となる１つまたは複数のプロセッサ及びメモリ５０４が代表となるメモリの多様な回路により接続される。バス５００バスアーキテクチャは、外部設備、電圧レギュレーター及び電力管理回路等の他の回路を接続することもできる。これらは、当該分野の周知技術であるため、本発明において、詳細に説明しない。バスインターフェース５０３はバス５００と送受信機５０２との間にインターフェースを提供する。送受信機５０２は、複数の部品であることができ、即ち、送信機及び受信機を備え、伝送媒体を介して他の装置と通信するユニットを提供する。プロセッサ５０１によって処理されたデータは、アンテナ５０５を介して無線媒体を介して送信され、さらにアンテナ５０５はさらにデータを受信してプロセッサ５０１に転送する。
【０１７１】
プロセッサ５０１は、バス５００及び通常の処理を監視し、タイミング、周辺インタフェース、電圧調整、電力管理、その他の制御機能など、さまざまな機能も利用できる。メモリ５０４は、プロセッサ５０１が動作する際に利用するデータを記憶することができる。
【０１７２】
オプションとして、プロセッサ５０１は、ＣＰＵ、ＡＳＩＣ、ＦＰＧＡまたはＣＰＬＤとすることができる。
【０１７３】
同様な発明思想に基づき、本発明に係る実施例は、アップリンクデータオペレーションのための方法をさらに提供し、当該方法の課題解決原理は本発明に係る実施例アップリンクデータオペレーションのための方法と類似するため、当該方法の実施は方法の実施を参照することができ、繰り返して説明しない。
【０１７４】
図６に示すように、本発明に係る実施例アップリンクデータオペレーションのための方法は以下のステップを備える。
【０１７５】
ステップ６００において、端末は、ｎｕｍｅｒｏｌｏｇｙとアップリンクグラントとの間の第１の対応関係に従って、ネットワーク側が端末に対して構成したｎｕｍｅｒｏｌｏｇｙに対応するアップリンクグラントを決定する。
【０１７６】
ステップ６０１、前記端末は、ｎｕｍｅｒｏｌｏｇｙとベアラとの間の第２の対応関係に従って、ネットワーク側が端末に対して構成したｎｕｍｅｒｏｌｏｇｙに対応するベアラを決定する。
【０１７７】
ステップ６０２において、前記端末は、決定されたｎｕｍｅｒｏｌｏｇｙに対応するアップリンクグラント及びｎｕｍｅｒｏｌｏｇｙに対応するベアラに従って、アップリンクデータオペレーションを実行する。
【０１７８】
オプションとして、前記ベアラは無線ベアラまたは論理チャネルである。
【０１７９】
オプションとして、当該方法では、さらに、前記端末は、ネットワーク側装置の構成に従い、前記第１の対応関係及び/または第２の対応関係を決定する。
【０１８０】
オプションとして、前記端末は、以下の一部または全部の方式でネットワーク側装置によって構成される、前記第１の対応関係を決定するように構成される。
【０１８１】
前記端末は、ネットワーク側装置によって構成される、アップリンクグラントで運ばれるｎｕｍｅｒｏｌｏｇｙ識別子に従い、前記第１の対応関係を決定する。
【０１８２】
前記端末は、ネットワーク側装置によって構成される、アップリンクグラントに対応する物理リソースまたはアップリンクグラントに対応するアップリンクデータ伝送リソースに対応する物理リソース、ｎｕｍｅｒｏｌｏｇｙとアップリンクグラントまたはアップリンクデータ伝送の物理リソースとの間の第３の対応関係に従い、前記第１の対応関係を決定する。
【０１８３】
前記端末は、ネットワーク側装置によって構成される、アップリンクグラントに対応するネットワークスライス識別子またはアップリンクグラントに対応するアップリンクデータ伝送リソースに対応するネットワークスライス識別子、及びｎｕｍｅｒｏｌｏｇｙとネットワークスライス識別子との間の第４の対応関係に従い、前記第１の対応関係を決定し、
前記端末は、アップリンクグラントで運ばれるネットワークスライス識別子、及びｎｕｍｅｒｏｌｏｇｙとネットワークスライス識別子との間の第４の対応関係に従い、前記第１の対応関係を決定する。
【０１８４】
オプションとして、前記端末は、以下の一部または全部の方式でネットワーク側装置によって構成された第２の対応関係を決定するように構成される。
【０１８５】
前記端末は、ベアラが確立される場合、ネットワーク側装置によって構成される、ベアラとｎｕｍｅｒｏｌｏｇｙとの間の第２の対応関係を決定する。
【０１８６】
前記端末は、ネットワーク側装置がアップリンクグラントにより構成した、ベアラとｎｕｍｅｒｏｌｏｇｙとの間の第２の対応関係を決定する。
【０１８７】
前記端末は、ネットワーク側装置によって構成される、アップリンクグラントで運ばれるＱｏＳパラメータとｎｕｍｅｒｏｌｏｇｙとの間の第５の対応関係と、端末のベアラの確立のときに構成されたベアラとＱｏＳパラメータとの間の第６の対応関係とに従い、前記第２の対応関係を決定する。
【０１８８】
前記端末は、ブロードキャストまたは専用シグナリングを介してネットワーク側装置によって通知されたＱｏＳパラメータとｎｕｍｅｒｏｌｏｇｙとの間の第５の対応関係と、端末のベアラの確立のときに構成されたベアラとＱｏＳパラメータとの間の第６の対応関係とに従い、前記第２の対応関係を決定する。
【０１８９】
前記端末は、ベアラの確立ときに運ばれるネットワークスライス識別子及びｎｕｍｅｒｏｌｏｇｙとネットワークスライス識別子との間の第４の対応関係に従い、前記第２の対応関係を決定する。
【０１９０】
前記端末は、ブロードキャストまたは専用シグナリングを介してネットワーク側装置によって通知されたＱｏＳパラメータとネットワークスライス識別子との間の第７の対応関係と、端末のベアラの確立のときに構成されたベアラのＱｏＳパラメータと、ブロードキャストまたは専用シグナリングを介してネットワーク側装置によって構成されたｎｕｍｅｒｏｌｏｇｙとネットワークスライス識別子との間の第４の対応関係とに従い、前記第２の対応関係を決定する。
【０１９１】
オプションとして、前記端末が決定されたｎｕｍｅｒｏｌｏｇｙに対応するアップリンクグラント及びｎｕｍｅｒｏｌｏｇｙに対応するベアラに従って、アップリンクデータオペレーションを実行する場合、前記端末は、決定されたｎｕｍｅｒｏｌｏｇｙに対応するアップリンクグラント及びｎｕｍｅｒｏｌｏｇｙに対応するベアラに従い、リソースを割り当て、アップリンクデータパケットを構成する。
【０１９２】
オプションとして、前記端末が、決定されたｎｕｍｅｒｏｌｏｇｙに対応するアップリンクグラント及びｎｕｍｅｒｏｌｏｇｙに対応するベアラに従い、リソースを割り当てる場合、前記端末は、前記ｎｕｍｅｒｏｌｏｇｙに対応するベアラの優先順位に従って割り当て順序を決定する。
【０１９３】
前記端末は、割り当て順序に従い、各ベアラのＰＢＲに基づき、アップリンクグラントに対応する未割り当てリソースから各ベアラにリソースを割り当てる。
【０１９４】
前記端末は、各ベアラにリソースを割り当てた後に、割り当て条件が満たされるかどうかを判断する。
【０１９５】
割り当て条件が満たされない場合、割り当て順序に従い、各ベアラのＰＢＲに基づき、割り当て条件が満たされるまで、アップリンクグラントに対応する未割り当てリソースから各ベアラにリソースを割り当てる。
【０１９６】
前記割り当て条件は、リソースがすべてのベアラのデータに割り当てられること、またはリソースが使い果たされることである。
【０１９７】
オプションとして、前記端末が決定されたｎｕｍｅｒｏｌｏｇｙに対応するアップリンクグラント及びｎｕｍｅｒｏｌｏｇｙに対応するベアラに従って、アップリンクデータオペレーションを実行する前に、前記端末は、プロトコルの規定に従うか、または、ブロードキャストまたは専用シグナリングによるネットワーク側装置の構成に従って、ｎｕｍｅｒｏｌｏｇｙと物理層パラメータとの間の第８の対応関係を決定する。
【０１９８】
前記端末が決定されたｎｕｍｅｒｏｌｏｇｙに対応するアップリンクグラント及びｎｕｍｅｒｏｌｏｇｙに対応するベアラに従って、アップリンクデータオペレーションを実行する場合、前記端末は、前記第８の対応関係に従って、物理層パラメータを決定する。
【０１９９】
前記端末は、決定された物理層パラメータ、ｎｕｍｅｒｏｌｏｇｙに対応するアップリンクグラント及びｎｕｍｅｒｏｌｏｇｙに対応するベアラに従って、アップリンクデータオペレーションを実行する。
【０２００】
図７に示すように、本発明に係る実施例ネットワーク側装置での、端末を支援するためのアップリンクデータオペレーションのための方法は以下のステップを備える。
【０２０１】
ステップ７００において、ネットワーク側装置は、第１の構成情報及び第２の構成情報を決定し、前記第１の構成情報は、ｎｕｍｅｒｏｌｏｇｙとアップリンクグラントとの間の第１の対応関係を決定するために使用され、前記第２の構成情報は、ｎｕｍｅｒｏｌｏｇｙとベアラとの間の第２の対応関係を決定するために使用される。
【０２０２】
ステップ７０１において、前記ネットワーク側装置は、アップリンクグラントに従ってアップリンクデータオペレーションを実行するように、端末に前記構成情報を送信し、前記端末が前記第１の対応関係に従ってアップリンクグラントを決定し、前記第２の対応関係に従ってベアラを決定する。
【０２０３】
オプションとして、前記第１の構成情報は、以下の情報の一部または全部を含み、
ｎｕｍｅｒｏｌｏｇｙ識別子、
アップリンクグラントに対応する物理リソース、
アップリンクグラントに対応するアップリンクデータ伝送リソースに対応する物理リソース、
アップリンクグラントに対応するネットワークスライス識別子、
アップリンクグラントに対応するアップリンクデータ伝送リソースに対応するネットワークスライス識別子。
【０２０４】
オプションとして、前記第２の構成情報は、以下の情報の一部または全部を含み、
前記第２の対応関係、
ｎｕｍｅｒｏｌｏｇｙとネットワークスライス識別子との間の第４の対応関係、
ＱｏＳパラメータとｎｕｍｅｒｏｌｏｇｙとの間の第５の対応関係、
ベアラとＱｏＳパラメータとの間の第６の対応関係、
ＱｏＳパラメータとネットワークスライス識別子との間の第７の対応関係、
ネットワークスライス識別子。
【０２０５】
オプションとして、前記方法では、さらに、前記ネットワーク側装置は、ブロードキャストまたは専用シグナリングにより前記端末に対してｎｕｍｅｒｏｌｏｇｙのパラメータを構成し、前記端末が前記ｎｕｍｅｒｏｌｏｇｙのパラメータに従って割り当てられたリソースによりデータを伝送するようにする。
【０２０６】
本発明による技術案を、そのいくつかの実施例に関連して以下に詳細に説明する。
【０２０７】
実施例１：
ステップ１：端末は、ｎｕｍｅｒｏｌｏｇｙと物理層構成との間の対応関係を決定する。
【０２０８】
端末が正しいｎｕｍｅｒｏｌｏｇｙを使用してデータを送信することを可能にするために、端末は、ｎｕｍｅｒｏｌｏｇｙに対応するそれぞれの物理層パラメータの構成を事前に提供され得る。
【０２０９】
実施では、ｎｕｍｅｒｏｌｏｇｙに対応する物理層パラメータは、プロトコルで約定され得るか、またはブロードキャストまたは専用シグナリングを介してネットワーク側装置によって端末に通知され得る。
【０２１０】
ステップ２：端末は、ネットワーク側装置のアップリンクグラントを受信する。
【０２１１】
ここで、アップリンクグラント（例えば、ＰＤＣＣＨ）は、ｎｕｍｅｒｏｌｏｇｙ識別子を搬送し、端末は、アップリンクグラントで搬送されるｎｕｍｅｒｏｌｏｇｙ識別子にしたがって、ｎｕｍｅｒｏｌｏｇｙとＵＬ ｇｒａｎｔとの間対応関係を決定する。
【０２１２】
ステップ３：端末は、ｎｕｍｅｒｏｌｏｇｙとベアラとの間の対応関係を決定する。
【０２１３】
実施では、端末は、以下方式のうちの１つでｎｕｍｅｒｏｌｏｇｙとベアラとの間対応関係を取得することができるが、これらに限定されない。
【０２１４】
Ａｌｔ１：ベアラが確立される場合、ベアラとｎｕｍｅｒｏｌｏｇｙとの間の対応関係を予め構成する。
【０２１５】
Ａｌｔ２：アップリンクグラント（例えば、ＰＤＣＣＨ）により、ベアラとｎｕｍｅｒｏｌｏｇｙとの間の対応関係を搬送する。
【０２１６】
Ａｌｔ３：アップリンクグラント（例えば、ＰＤＣＣＨ）により、ＱｏＳとｎｕｍｅｒｏｌｏｇｙとの間の対応関係を搬送し、端末は、ベアラのＱｏＳパラメータ構成に従ってベアラとｎｕｍｅｒｏｌｏｇｙとの間の対応関係を決定する。
【０２１７】
Ａｌｔ４：ネットワーク側装置は、ブロードキャストまたは専用シグナリングにより、端末に対してＱｏＳとｎｕｍｅｒｏｌｏｇｙとの間の対応関係を構成する。
【０２１８】
端末は、ベアラのＱｏＳパラメータ、及びＱｏＳとｎｕｍｅｒｏｌｏｇｙとの間の対応関係に従って、ベアラとｎｕｍｅｒｏｌｏｇｙとの間の対応関係を決定する。
【０２１９】
Ａｌｔ５：ネットワーク側装置は、端末とともにベアラを確立するときに、対応のネットワークスライス識別子を構成する。
【０２２０】
端末は、ネットワークスライスとｎｕｍｅｒｏｌｏｇｙとの間の対応関係に従って、ベアラとｎｕｍｅｒｏｌｏｇｙとの間の対応関係を決定する。
【０２２１】
Ａｌｔ６：端末は、ベアラが確立されるときに構成されたＱｏＳパラメータに従ってネットワークスライス識別子を決定し、また、ネットワークスライス識別子とｎｕｍｅｒｏｌｏｇｙとの間の対応関係（予め構成されるか、またはブロードキャストまたは用専用シグナリングを介してネットワーク側装置によって構成される）に従って、ベアラとｎｕｍｅｒｏｌｏｇｙとの間の対応関係を決定する。
【０２２２】
ステップ４：端末は、ｎｕｍｅｒｏｌｏｇｙに基づき、プロトコルデータユニット（Ｐｒｏｔｏｃｏｌ Ｄａｔａ Ｕｎｉｔ，ＰＤＵ）を構成する。
【０２２３】
例えば、４層のユーザプレーンプロトコルスタックを採用し、すなわち、ＰＤＵは、ＭＡＣ層によって下層の層に構成され配信される。ここで、ＰＤＵは、ここではＭＡＣ ＰＤＵと呼ばれる（プロトコルスタックは後で最適化される場合、当該ＰＤＵの名称は変更される可能性もあり、ＰＤＵはここでは物理層に直接隣接する上位層ＰＤＵを指す）。
【０２２４】
前記ｎｕｍｅｒｏｌｏｇｙに対応するＵＬ ｇｒａｎｔ（アアップリンクグラント情報）の場合、ＰＤＵパケットは以下のように構成される。
【０２２５】
Ｓｔｅｐ１：端末は、前記ｎｕｍｅｒｏｌｏｇｙに対応するすべてのベアラの対応関係をベアラの優先順位に従って順番つけ、各ベアラに対応するＰＢＲに従って第１ラウンドでリソースを割り当てる。
【０２２６】
Ｓｔｅｐ２：端末が第１ラウンドでリソースを割り当てた後にリソースが残っている場合、ｓｔｅｐ１で決定された優先順位に従って第２ラウンドでリソースを割り当てることができる。
【０２２７】
すべてのベアラの残りのデータにリソースを割り当てるまで、または前記ｎｕｍｅｒｏｌｏｇｙに対応するＵＬ ｇｒａｎｔのすべてのリソースが割り当てられるまで、各ベアラのすべての残りのデータにリソースを割り当てることによって第２ラウンドのリソースを割り当てる。
【０２２８】
実施例２：
ステップ１：端末は、ｎｕｍｅｒｏｌｏｇｙと物理層構成との間の対応関係を決定する。
【０２２９】
端末が正しいｎｕｍｅｒｏｌｏｇｙを使用してデータを送信することを可能にするために、端末は、ｎｕｍｅｒｏｌｏｇｙに対応するそれぞれの物理層パラメータの構成を事前に提供され得る。
【０２３０】
実施では、ｎｕｍｅｒｏｌｏｇｙに対応する物理層パラメータは、プロトコルで約定され得るか、またはブロードキャストまたは専用シグナリングを介してネットワーク側装置によって端末に通知され得る。
【０２３１】
ステップ２：端末は、ネットワーク側からのアップリンクグラントを受信する。
【０２３２】
ここで、ｎｕｍｅｒｏｌｏｇｙ及びアップリンクグラントに対応する物理リソースまたはアップリンクグラントに対応するアップリンクデータ伝送リソースに対応する物理リソースをバンディングする。端末は、ネットワーク側装置によって構成される、アップリンクグラントに対応する物理リソースまたはアップリンクグラントに対応するアップリンクデータ伝送リソースに対応する物理リソースに従って、ｎｕｍｅｒｏｌｏｇｙとアップリンクグラントとの間の対応関係を決定する。
【０２３３】
ステップ３：端末は、ｎｕｍｅｒｏｌｏｇｙとベアラとの間の対応関係を決定する。
【０２３４】
実施では、端末は、以下方式のうちの１つでｎｕｍｅｒｏｌｏｇｙとベアラとの間対応関係を取得することができるが、これらに限定されない。
【０２３５】
Ａｌｔ１：ベアラが確立される場合、ベアラとｎｕｍｅｒｏｌｏｇｙとの間の対応関係を予め構成する。
【０２３６】
Ａｌｔ２：アップリンクグラント（例えば、ＰＤＣＣＨ）により、ベアラとｎｕｍｅｒｏｌｏｇｙとの間の対応関係を搬送する。
【０２３７】
Ａｌｔ３：アップリンクグラント（例えば、ＰＤＣＣＨ）により、ＱｏＳとｎｕｍｅｒｏｌｏｇｙとの間の対応関係を搬送し、端末は、ベアラのＱｏＳパラメータ構成に従ってベアラとｎｕｍｅｒｏｌｏｇｙとの間の対応関係を決定する。
【０２３８】
Ａｌｔ４：ネットワーク側装置は、ブロードキャストまたは専用シグナリングにより、端末に対してＱｏＳとｎｕｍｅｒｏｌｏｇｙとの間の対応関係を構成する。
【０２３９】
端末は、ベアラのＱｏＳパラメータ、及びＱｏＳとｎｕｍｅｒｏｌｏｇｙとの間の対応関係に従って、ベアラとｎｕｍｅｒｏｌｏｇｙとの間の対応関係を決定する。
【０２４０】
Ａｌｔ５：ネットワーク側装置は、端末とともにベアラを確立するときに、対応のネットワークスライス識別子を構成する。
【０２４１】
端末は、ネットワークスライスとｎｕｍｅｒｏｌｏｇｙとの間の対応関係に従って、ベアラとｎｕｍｅｒｏｌｏｇｙとの間の対応関係を決定する。
【０２４２】
Ａｌｔ６：端末は、ベアラが確立されるときに構成されたＱｏＳパラメータに従ってネットワークスライス識別子を決定し、また、ネットワークスライス識別子とｎｕｍｅｒｏｌｏｇｙとの間の対応関係（予め構成されるか、またはブロードキャストまたは用専用シグナリングを介してネットワーク側装置によって構成される）に従って、ベアラとｎｕｍｅｒｏｌｏｇｙとの間の対応関係を決定する。
【０２４３】
ステップ４：端末は、ｎｕｍｅｒｏｌｏｇｙに基づき、ＰＤＵを構成する。
【０２４４】
例えば、４層のユーザプレーンプロトコルスタックを採用し、すなわち、ＰＤＵは、ＭＡＣ層によって下層の層に構成され配信される。ここで、ＰＤＵは、ここではＭＡＣ ＰＤＵと呼ばれる（プロトコルスタックは後で最適化される場合、当該ＰＤＵの名称は変更される可能性もあり、ＰＤＵはここでは物理層に直接隣接する上位層ＰＤＵを指す）。
【０２４５】
前記ｎｕｍｅｒｏｌｏｇｙに対応するＵＬ ｇｒａｎｔＰＤＵパケットは以下のように構成される。
【０２４６】
Ｓｔｅｐ１：端末は、前記ｎｕｍｅｒｏｌｏｇｙに対応するすべてのベアラの対応関係をベアラの優先順位に従って順番つけ、各ベアラに対応するＰＢＲに従って第１ラウンドでリソースを割り当てる。
【０２４７】
Ｓｔｅｐ２：端末が第１ラウンドでリソースを割り当てた後にリソースが残っている場合、ｓｔｅｐ１で決定された優先順位に従って第２ラウンドでリソースを割り当てることができる。
【０２４８】
すべてのベアラの残りのデータにリソースを割り当てるまで、または前記ｎｕｍｅｒｏｌｏｇｙに対応するＵＬ ｇｒａｎｔのすべてのリソースが割り当てられるまで、各ベアラのすべての残りのデータにリソースを割り当てることによって第２ラウンドのリソースを割り当てる。
【０２４９】
実施例３：
ステップ１：端末は、ｎｕｍｅｒｏｌｏｇｙと物理層構成との間の対応関係を決定する。
【０２５０】
端末が正しいｎｕｍｅｒｏｌｏｇｙを使用してデータを送信することを可能にするために、端末は、ｎｕｍｅｒｏｌｏｇｙに対応するそれぞれの物理層パラメータの構成を事前に提供され得る。
【０２５１】
実施では、ｎｕｍｅｒｏｌｏｇｙに対応する物理層パラメータは、プロトコルで約定され得るか、またはブロードキャストまたは専用シグナリングを介してネットワーク側装置によって端末に通知され得る。
【０２５２】
ステップ２：端末は、ネットワーク側からのアップリンクグラントを受信する。
【０２５３】
端末は、ネットワーク側装置によって構成される、アップリンクグラントに対応するネットワークスライス識別子またはアップリンクグラントに対応するアップリンクデータ伝送リソースに対応するネットワークスライス識別子、及びｎｕｍｅｒｏｌｏｇｙとネットワークスライス識別子との間の対応関係に従って、ｎｕｍｅｒｏｌｏｇｙとアップリンクグラントとの間の対応関係を決定する。
【０２５４】
ステップ３：端末は、ｎｕｍｅｒｏｌｏｇｙとベアラとの間の対応関係を決定する。
【０２５５】
実施では、端末は、以下方式のうちの１つでｎｕｍｅｒｏｌｏｇｙとベアラとの間対応関係を取得することができるが、これらに限定されない。
【０２５６】
Ａｌｔ１：ベアラが確立される場合、ベアラとｎｕｍｅｒｏｌｏｇｙとの間の対応関係を予め構成する。
【０２５７】
Ａｌｔ２：アップリンクグラント（例えば、ＰＤＣＣＨ）により、ベアラとｎｕｍｅｒｏｌｏｇｙとの間の対応関係を搬送する。
【０２５８】
Ａｌｔ３：アップリンクグラント（例えば、ＰＤＣＣＨ）により、ＱｏＳとｎｕｍｅｒｏｌｏｇｙとの間の対応関係を搬送し、端末は、ベアラのＱｏＳパラメータ構成に従ってベアラとｎｕｍｅｒｏｌｏｇｙとの間の対応関係を決定する。
【０２５９】
Ａｌｔ４：ネットワーク側装置は、ブロードキャストまたは専用シグナリングにより、端末に対してＱｏＳとｎｕｍｅｒｏｌｏｇｙとの間の対応関係を構成する。
【０２６０】
端末は、ベアラのＱｏＳパラメータ、及びＱｏＳとｎｕｍｅｒｏｌｏｇｙとの間の対応関係に従って、ベアラとｎｕｍｅｒｏｌｏｇｙとの間の対応関係を決定する。
【０２６１】
Ａｌｔ５：ネットワーク側装置は、端末とともにベアラを確立するときに、対応のネットワークスライス識別子を構成する。
【０２６２】
端末は、ネットワークスライスとｎｕｍｅｒｏｌｏｇｙとの間の対応関係に従って、ベアラとｎｕｍｅｒｏｌｏｇｙとの間の対応関係を決定する。
【０２６３】
Ａｌｔ６：端末は、ベアラが確立されるときに構成されたＱｏＳパラメータに従ってネットワークスライス識別子を決定し、また、ネットワークスライス識別子とｎｕｍｅｒｏｌｏｇｙとの間の対応関係（予め構成されるか、またはブロードキャストまたは用専用シグナリングを介してネットワーク側装置によって構成される）に従って、ベアラとｎｕｍｅｒｏｌｏｇｙとの間の対応関係を決定する。
【０２６４】
ステップ４：端末は、ｎｕｍｅｒｏｌｏｇｙに基づき、ＰＤＵを構成する。
【０２６５】
例えば、４層のユーザプレーンプロトコルスタックを採用し、すなわち、ＰＤＵは、ＭＡＣ層によって下層の層に構成され配信される。ここで、ＰＤＵは、ここではＭＡＣ ＰＤＵと呼ばれる（プロトコルスタックは後で最適化される場合、当該ＰＤＵの名称は変更される可能性もあり、ＰＤＵはここでは物理層に直接隣接する上位層ＰＤＵを指す）。
【０２６６】
前記ｎｕｍｅｒｏｌｏｇｙに対応するＵＬ ｇｒａｎｔＰＤＵパケットは以下のように構成される。
【０２６７】
Ｓｔｅｐ１：端末は、前記ｎｕｍｅｒｏｌｏｇｙに対応するすべてのベアラの対応関係をベアラの優先順位に従って順番つけ、各ベアラに対応するＰＢＲに従って第１ラウンドでリソースを割り当てる。
【０２６８】
Ｓｔｅｐ２：端末が第１ラウンドでリソースを割り当てた後にリソースが残っている場合、ｓｔｅｐ１で決定された優先順位に従って第２ラウンドでリソースを割り当てることができる。
【０２６９】
すべてのベアラの残りのデータにリソースを割り当てるまで、または前記ｎｕｍｅｒｏｌｏｇｙに対応するＵＬ ｇｒａｎｔのすべてのリソースが割り当てられるまで、各ベアラのすべての残りのデータにリソースを割り当てることによって第２ラウンドのリソースを割り当てる。
【０２７０】
本発明は、本発明の実施形態による方法、装置（システム）、およびコンピュータプログラム製品のフローチャートおよび／またはブロック図で説明されている。フローチャートおよび／またはブロック図におけるそれぞれのフローおよび／またはブロック、ならびにフローチャートおよび／またはブロック図におけるフローおよび／またはブロックの組み合わせは、コンピュータプログラム命令で具現化することができることを理解されたい。これらのコンピュータプログラム命令は、汎用コンピュータ、特定用途向けコンピュータ、組み込みプロセッサ、または他のプログラム可能なデータ処理装置のプロセッサにロードされて、コンピュータまたは他のプロセッサ上で実行される命令が実行されるように機械を生成することができる。プログラム可能データ処理装置は、フローチャートの流れおよび／またはブロック図のブロックに指定された機能を実行するための手段を作成する。
【０２７１】
対応して、本発明は、ハードウェアおよび／またはソフトウェア（ファームウェア、常駐ソフトウェア、マイクロコードなどを含む）においてさらに具体化することができる。さらにまた、本発明は、コンピュータ使用可能または読み取り可能な記憶媒体上のコンピュータプログラム製品の形で実施することができ、コンピュータプログラム製品は、命令によってまたは命令と関連して使用される媒体で実施されるコンピュータ使用可能または読み取り可能プログラムコードを含む。本発明の文脈では、コンピュータ使用可能媒体または読み取り可能媒体は、命令実行システム、装置またはデバイスによって使用される、またはそれらに関連して使用されるプログラムを含む、格納する、通信する、送信する、または転送することができる。
【０２７２】
明らかに、当業者は、本発明の精神および範囲から逸脱することなく、本発明に対して様々な修正および変更を加えることができる。したがって、本発明はまた、修正および変形が本発明に添付の特許請求の範囲およびそれらの均等物の範囲内に入る限り、これらの修正および変形を含むことを意図している。
【符号の説明】
【０２７３】
１０   端末
２０   ネットワーク側装置
２００ シグナリング決定モジュール
２０１ 情報決定モジュール
２０２ 処理モジュール
３００ 構成決定モジュール
３０１ 伝送モジュール
４００ バス
４０１ プロセッサ
４０２ 送受信機
４０３ バスインターフェース
４０４ メモリ
４０５ ユーザインタフェース
５００ バス
５０１ プロセッサ
５０２ 送受信機
５０３ バスインターフェース
５０４ メモリ
５０５ アンテナ
【図１】
2019534610.tif 000003
【図２】
2019534610.tif 000004
【図３】
2019534610.tif 000005
【図４】
2019534610.tif 000006
【図５】
2019534610.tif 000007
【図６】
2019534610.tif 000008
【図７】
2019534610.tif 000009
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
端末は、ｎｕｍｅｒｏｌｏｇｙとアップリンクグラントとの間の第１の対応関係に従い、ネットワーク側が端末に対して構成したｎｕｍｅｒｏｌｏｇｙに対応するアップリンクグラントを決定するステップと、
前記端末は、ｎｕｍｅｒｏｌｏｇｙとベアラとの間の第２の対応関係に従って、ネットワーク側が端末に対して構成したｎｕｍｅｒｏｌｏｇｙに対応するベアラを決定するステップと、
前記端末は、決定されたｎｕｍｅｒｏｌｏｇｙに対応するアップリンクグラント及びｎｕｍｅｒｏｌｏｇｙに対応するベアラに従って、アップリンクデータオペレーションを実行するステップとを備えることを特徴とするアップリンクデータオペレーションのための方法。
【請求項２】
前記ベアラは無線ベアラまたは論理チャネルであることを特徴とする請求項１に記載のアップリンクデータオペレーションのための方法。
【請求項３】
前記端末は、ネットワーク側装置の構成に従い、前記第１の対応関係及び/または第２の対応関係を決定することを特徴とする請求項１に記載のアップリンクデータオペレーションのための方法。
【請求項４】
前記端末は、以下の一部または全部の方式でネットワーク側装置によって構成される、前記第１の対応関係を決定するように構成され、
前記端末は、ネットワーク側装置によって構成される、アップリンクグラントで運ばれるｎｕｍｅｒｏｌｏｇｙ識別子に従い、前記第１の対応関係を決定し、
前記端末は、ネットワーク側装置によって構成される、アップリンクグラントに対応する物理リソースまたはアップリンクグラントに対応するアップリンクデータ伝送リソースに対応する物理リソース、ｎｕｍｅｒｏｌｏｇｙとアップリンクグラントまたはアップリンクデータ伝送の物理リソースとの間の第３の対応関係に従い、前記第１の対応関係を決定し、
前記端末は、ネットワーク側装置によって構成される、アップリンクグラントに対応するネットワークスライス識別子またはアップリンクグラントに対応するアップリンクデータ伝送リソースに対応するネットワークスライス識別子、及びｎｕｍｅｒｏｌｏｇｙとネットワークスライス識別子との間の第４の対応関係に従い、前記第１の対応関係を決定し、
前記端末は、アップリンクグラントで運ばれるネットワークスライス識別子、及びｎｕｍｅｒｏｌｏｇｙとネットワークスライス識別子との間の第４の対応関係に従い、前記第１の対応関係を決定することを特徴とする請求項３に記載のアップリンクデータオペレーションのための方法。
【請求項５】
前記端末は、以下の一部または全部の方式でネットワーク側装置によって構成された第２の対応関係を決定するように構成され、
前記端末は、ベアラが確立される場合、ネットワーク側装置によって構成される、ベアラとｎｕｍｅｒｏｌｏｇｙとの間の第２の対応関係を決定し、
前記端末は、ネットワーク側装置がアップリンクグラントにより構成した、ベアラとｎｕｍｅｒｏｌｏｇｙとの間の第２の対応関係を決定し、
前記端末は、ネットワーク側装置によって構成される、アップリンクグラントで運ばれるＱｏＳパラメータとｎｕｍｅｒｏｌｏｇｙとの間の第５の対応関係と、端末のベアラの確立のときに構成されたベアラとＱｏＳパラメータとの間の第６の対応関係とに従い、前記第２の対応関係を決定し、
前記端末は、ブロードキャストまたは専用シグナリングを介してネットワーク側装置によって通知されたＱｏＳパラメータとｎｕｍｅｒｏｌｏｇｙとの間の第５の対応関係と、端末のベアラの確立のときに構成されたベアラとＱｏＳパラメータとの間の第６の対応関係とに従い、前記第２の対応関係を決定し、
前記端末は、ベアラの確立ときに運ばれるネットワークスライス識別子及びｎｕｍｅｒｏｌｏｇｙとネットワークスライス識別子との間の第４の対応関係に従い、前記第２の対応関係を決定し、
前記端末は、ブロードキャストまたは専用シグナリングを介してネットワーク側装置によって通知されたＱｏＳパラメータとネットワークスライス識別子との間の第７の対応関係と、端末のベアラの確立のときに構成されたベアラのＱｏＳパラメータと、ブロードキャストまたは専用シグナリングを介してネットワーク側装置によって構成されたｎｕｍｅｒｏｌｏｇｙとネットワークスライス識別子との間の第４の対応関係とに従い、前記第２の対応関係を決定することを特徴とする請求項３に記載のアップリンクデータオペレーションのための方法。
【請求項６】
前記端末が決定されたｎｕｍｅｒｏｌｏｇｙに対応するアップリンクグラント及びｎｕｍｅｒｏｌｏｇｙに対応するベアラに従って、アップリンクデータオペレーションを実行する場合、
前記端末は、決定されたｎｕｍｅｒｏｌｏｇｙに対応するアップリンクグラント及びｎｕｍｅｒｏｌｏｇｙに対応するベアラに従い、リソースを割り当て、アップリンクデータパケットを構成することを特徴とする請求項１に記載のアップリンクデータオペレーションのための方法。
【請求項７】
前記端末が、決定されたｎｕｍｅｒｏｌｏｇｙに対応するアップリンクグラント及びｎｕｍｅｒｏｌｏｇｙに対応するベアラに従い、リソースを割り当てる場合、
前記端末は、前記ｎｕｍｅｒｏｌｏｇｙに対応するベアラの優先順位に従って割り当て順序を決定し、
前記端末は、割り当て順序に従い、各ベアラのＰＢＲに基づき、アップリンクグラントに対応する未割り当てリソースから各ベアラにリソースを割り当て、
前記端末は、各ベアラにリソースを割り当てた後に、割り当て条件が満たされるかどうかを判断し、
割り当て条件が満たされない場合、割り当て順序に従い、各ベアラのＰＢＲに基づき、割り当て条件が満たされるまで、アップリンクグラントに対応する未割り当てリソースから各ベアラにリソースを割り当て、
前記割り当て条件は、リソースがすべてのベアラのデータに割り当てられること、またはリソースが使い果たされることであることを特徴とする請求項６に記載のアップリンクデータオペレーションのための方法。
【請求項８】
前記端末が決定されたｎｕｍｅｒｏｌｏｇｙに対応するアップリンクグラント及びｎｕｍｅｒｏｌｏｇｙに対応するベアラに従って、アップリンクデータオペレーションを実行する前に、
前記端末は、プロトコルの規定に従うか、または、ブロードキャストまたは専用シグナリングによるネットワーク側装置の構成に従って、ｎｕｍｅｒｏｌｏｇｙと物理層パラメータとの間の第８の対応関係を決定し、
前記端末が決定されたｎｕｍｅｒｏｌｏｇｙに対応するアップリンクグラント及びｎｕｍｅｒｏｌｏｇｙに対応するベアラに従って、アップリンクデータオペレーションを実行する場合、
前記端末は、前記第８の対応関係に従って、物理層パラメータを決定し、
前記端末は、決定された物理層パラメータ、ｎｕｍｅｒｏｌｏｇｙに対応するアップリンクグラント及びｎｕｍｅｒｏｌｏｇｙに対応するベアラに従って、アップリンクデータオペレーションを実行することを特徴とする請求項１ないし請求項７のいずれか１項に記載のアップリンクデータオペレーションのための方法。
【請求項９】
ネットワーク側装置は、第１の構成情報及び第２の構成情報を決定するステップと、
前記ネットワーク側装置は、前記第２の対応関係に従ってベアラを決定し、アップリンクグラントに従ってアップリンクデータオペレーションを実行するように、端末に前記構成情報を送信し、前記端末が前記第１の対応関係に従ってアップリンクグラントを決定するステップと
を備え、
前記第１の構成情報は、ｎｕｍｅｒｏｌｏｇｙとアップリンクグラントとの間の第１の対応関係を決定するために使用され、前記第２の構成情報は、ｎｕｍｅｒｏｌｏｇｙとベアラとの間の第２の対応関係を決定するために使用されることを特徴とするリソースを割り当てるための方法。
【請求項１０】
前記第１の構成情報は、
ｎｕｍｅｒｏｌｏｇｙ識別子と、
アップリンクグラントに対応する物理リソースと、
アップリンクグラントに対応するアップリンクデータ伝送リソースに対応する物理リソースと、
アップリンクグラントに対応するネットワークスライス識別子と、
アップリンクグラントに対応するアップリンクデータ伝送リソースに対応するネットワークスライス識別子とのうちの情報の一部または全部を含むことを特徴とする請求項９に記載のリソースを割り当てるための方法。
【請求項１１】
前記第２の構成情報は、
前記第２の対応関係と、
ｎｕｍｅｒｏｌｏｇｙとネットワークスライス識別子との間の第４の対応関係と、
ＱｏＳパラメータとｎｕｍｅｒｏｌｏｇｙとの間の第５の対応関係と、
ベアラとＱｏＳパラメータとの間の第６の対応関係と、
ＱｏＳパラメータとネットワークスライス識別子との間の第７の対応関係と、
ネットワークスライス識別子とのうちの情報の一部または全部を含むことを特徴とする請求項９に記載のリソースを割り当てるための方法。
【請求項１２】
前記ネットワーク側装置は、前記端末が前記ｎｕｍｅｒｏｌｏｇｙのパラメータに従って割り当てられたリソースによりデータを伝送するように、ブロードキャストまたは専用シグナリングにより前記端末に対してｎｕｍｅｒｏｌｏｇｙのパラメータを構成することを特徴とする請求項９ないし請求項１１のいずれか１項に記載のリソースを割り当てるための方法。
【請求項１３】
ｎｕｍｅｒｏｌｏｇｙとアップリンクグラントとの間の第１の対応関係に従って、ネットワーク側が端末に対して構成したｎｕｍｅｒｏｌｏｇｙに対応するアップリンクグラントを決定するように構成される、シグナリング決定モジュールと、
ｎｕｍｅｒｏｌｏｇｙとベアラとの間の第２の対応関係に従って、ネットワーク側が端末に対して構成したｎｕｍｅｒｏｌｏｇｙに対応するベアラを決定するように構成される、情報決定モジュールと
決定されたｎｕｍｅｒｏｌｏｇｙに対応するアップリンクグラント及びｎｕｍｅｒｏｌｏｇｙに対応するベアラに従って、アップリンクデータオペレーションを実行するように構成される、処理モジュールとを備えることを特徴とするアップリンクデータオペレーションのための端末。
【請求項１４】
前記処理モジュールは、
ネットワーク側装置の構成に従い、前記第１の対応関係及び/または第２の対応関係を決定し、
前記処理モジュールは、以下の一部または全部の方式でネットワーク側装置によって構成される、前記第１の対応関係を決定するように構成され、
ネットワーク側装置によって構成される、アップリンクグラントで運ばれるｎｕｍｅｒｏｌｏｇｙ識別子に従い、前記第１の対応関係を決定し、
ネットワーク側装置によって構成される、アップリンクグラントに対応する物理リソースまたはアップリンクグラントに対応するアップリンクデータ伝送リソースに対応する物理リソース、ｎｕｍｅｒｏｌｏｇｙとアップリンクグラントまたはアップリンクデータ伝送の物理リソースとの間の第３の対応関係に従い、前記第１の対応関係を決定し、
ネットワーク側装置によって構成される、アップリンクグラントに対応するネットワークスライス識別子またはアップリンクグラントに対応するアップリンクデータ伝送リソースに対応するネットワークスライス識別子、及びｎｕｍｅｒｏｌｏｇｙとネットワークスライス識別子との間の第４の対応関係に従い、前記第１の対応関係を決定し、
ネットワーク側装置によって構成される、アップリンクグラントで運ばれるネットワークスライス識別子、及びｎｕｍｅｒｏｌｏｇｙとネットワークスライス識別子との間の第４の対応関係に従い、前記第１の対応関係を決定し、
前記処理モジュールは、以下の一部または全部の方式でネットワーク側装置によって構成された第２の対応関係を決定するように構成され、
ベアラが確立される場合、ネットワーク側装置によって構成される、ベアラとｎｕｍｅｒｏｌｏｇｙとの間の第２の対応関係を決定し、
ネットワーク側装置がアップリンクグラントにより構成した、ベアラとｎｕｍｅｒｏｌｏｇｙとの間の第２の対応関係を決定し、
ネットワーク側装置によって構成される、アップリンクグラントで運ばれるＱｏＳパラメータとｎｕｍｅｒｏｌｏｇｙとの間の第５の対応関係と、端末のベアラの確立のときに構成されたベアラとＱｏＳパラメータとの間の第６の対応関係とに従い、前記第２の対応関係を決定し、
ブロードキャストまたは専用シグナリングを介してネットワーク側装置によって通知されたＱｏＳパラメータとｎｕｍｅｒｏｌｏｇｙとの間の第５の対応関係と、端末のベアラの確立のときに構成されたベアラとＱｏＳパラメータとの間の第６の対応関係とに従い、前記第２の対応関係を決定し、
ベアラの確立ときに運ばれるネットワークスライス識別子及びｎｕｍｅｒｏｌｏｇｙとネットワークスライス識別子との間の第４の対応関係に従い、前記第２の対応関係を決定し、
ブロードキャストまたは専用シグナリングを介してネットワーク側装置によって通知されたＱｏＳパラメータとネットワークスライス識別子との間の第７の対応関係と、端末のベアラの確立のときに構成されたベアラのＱｏＳパラメータと、ブロードキャストまたは専用シグナリングを介してネットワーク側装置によって構成されたｎｕｍｅｒｏｌｏｇｙとネットワークスライス識別子との間の第４の対応関係とに従い、前記第２の対応関係を決定することを特徴とする請求項１３に記載のアップリンクデータオペレーションのための端末。
【請求項１５】
前記処理モジュールは、
決定されたｎｕｍｅｒｏｌｏｇｙに対応するアップリンクグラント及びｎｕｍｅｒｏｌｏｇｙに対応するベアラに従い、リソースを割り当て、アップリンクデータパケットを構成し、
前記処理モジュールは、
前記ｎｕｍｅｒｏｌｏｇｙに対応するベアラの優先順位に従って割り当て順序を決定し、
割り当て順序に従い、各ベアラのＰＢＲに基づき、アップリンクグラントに対応する未割り当てリソースから各ベアラにリソースを割り当て、
各ベアラにリソースを割り当てた後に、割り当て条件が満たされるかどうかを判断し、
割り当て条件が満たされない場合、割り当て順序に従い、各ベアラのＰＢＲに基づき、割り当て条件が満たされるまで、アップリンクグラントに対応する未割り当てリソースから各ベアラにリソースを割り当て、
前記割り当て条件は、リソースがすべてのベアラのデータに割り当てられること、またはリソースが使い果たされることであることを特徴とする請求項１３に記載のアップリンクデータオペレーションのための端末。
【国際調査報告】
2019534610.tif 000010
2019534610.tif 000011
2019534610.tif 000012
2019534610.tif 000013